(57)【要約】本発明は、ＰＢＲ会合タンパク質をコード化する核酸に関するものであり、さらにこれをＰＡＰの製造に使用する方法に関するものであり、さらに当該ＰＡＰの使用方法に関するものである。本研究において、我々はＰＢＲタンパク質と相互作用を有するタンパク質 （ＰＡＰ）を、酵母菌二ハイブリッド システムにより同定することに成功した。ＰＢＲはマウス精巣ｃＤＮＡライブラリ検索用の餌としても、これを使用した。ＰＢＲとの相互作用能力に基づいて５種類のクローンを単離した。これらのタンパク質はＰＢＲの機能調節に関与し、当該受容体の内因性リガンド又はアロステリック調節剤としても役立てることが可能である。【特許請求の範囲】
【請求項１】
単離ＰＢＲ関連タンパク質（ＰＡＰ）のＤＮＡフラグメント又はそのタンパク質。
【請求項２】
ＰＢＲ関連タンパク質をコード化する単離精製ＤＮＡフラグメント。
【請求項３】
当該ＤＮＡフラグメントがＳＥＱ ＩＤ ＮＯ： １、ＳＥＱ ＩＤ ＮＯ： ２、ＳＥＱ ＩＤ ＮＯ： ３、ＳＥＱ ＩＤ ＮＯ： ４、及びＳＥＱ ＩＤ ＮＯ： ５の中で特定される配列或いは少なくとも３０個のヌクレオチドで構成される当該配列のポリヌクレオチド フラグメントで構成される、単離精製ＤＮＡフラグメント。
【請求項４】
当該ＤＮＡフラグメントがゲンバンク取得番号ＡＦ０２２７７０又はゲンバンク取得番号ＡＦ０２０３３８で特定される配列で構成され、或いは当該配列のポリヌクレオチド配列が少なくとも３０個のヌクレオチドで構成される、ＰＢＲ関連タンパク質のペプチドをコード化する単離精製ＤＮＡフラグメント。
【請求項５】
ＰＡＰ７の４６３個のアミノ酸、或いはＰＡＰ７の天然変異体又は合成変異体、或いは少なくとも１０個のアミノ酸で構成されるそのペプチド フラグメントをコード化する、請求項２記載の単離精製ＰＡＰ７ ＤＮＡフラグメント。
【請求項６】
ＰＡＰ８の１９０個のアミノ酸、或いはＰＡＰ８をコード化するその天然変異体又は合成変異体、或いは少なくとも１０個のアミノ酸で構成されるそのペプチド フラグメントをコード化する、請求項２記載の単離精製ＰＡＰ８ ＤＮＡフラグメント。
【請求項７】
ＰＡＰ１５の１６４個のアミノ酸、或いはＰＡＰ１５をコード化するその天然変異体又は合成変異体、或いは少なくとも１０個のアミノ酸で構成されるそのペプチド フラグメントをコード化する、請求項２記載の単離精製ＰＡＰ１５のＤＮＡフラグメント。
【請求項８】
ＰＡＰ２０の１９６個のアミノ酸、或いはＰＡＰ２０をコード化するその天然変異体又は合成変異体、或いは少なくとも１０個のアミノ酸で構成されるそのペプチド フラグメントをコード化する、請求項２記載の単離精製ＰＡＰ２０ ＤＮＡフラグメント。
【請求項９】
（ｉ）ベクター及び（ｉｉ）請求項１記載のＰＡＰ ＤＮＡフラグメントで構成される、組み替えＤＮＡ構造。
【請求項１０】
（ｉ）ベクター及び（ｉｉ）請求項３記載のＰＡＰ ＤＮＡフラグメントで構成される、組み替えＤＮＡ構造。
【請求項１１】
当該ベクターが発現ベクターである、請求項１０記載の組み替えＤＮＡ構造。
【請求項１２】
当該ベクターが原核生物のベクターである、請求項１０記載の組み替えＤＮＡ構造。
【請求項１３】
当該ベクターが真核生物のベクターである、請求項１０記載の組み替えＤＮＡ構造。
【請求項１４】
請求項１０記載の組み替えＤＮＡ構造で形質変換した宿主細胞。
【請求項１５】
当該細胞が原核生物の細胞である、請求項１４記載の宿主細胞。
【請求項１６】
当該細胞が真核生物の細胞である、請求項１４記載の宿主細胞。
【請求項１７】
請求項１５又は１６記載の細胞を、当該ＤＮＡフラグメントが発現され、当該ＰＡＰペプチドがこの方法により製造される条件下で培養することにより構成される、ＰＡＰペプチドを製造する方法。
【請求項１８】
請求項１７の方法により製造される、単離組み替えＰＡＰ。
【請求項１９】
ＳＥＱ ＩＤ ＮＯ： ７で特定されるアミノ酸配列又は少なくとも５個のアミノ酸で構成されるその一部のＰＡＰ７ポリペプチド。
【請求項２０】
ＳＥＱ ＩＤ ＮＯ： ８で特定されるアミノ酸配列又は少なくとも５個のアミノ酸で構成されるその一部のＰＡＰ８ポリペプチド。
【請求項２１】
ＳＥＱ ＩＤ ＮＯ： ９、又は少なくとも５個のアミノ酸から成るその一部として特定されるアミノ酸配列で構成される、ＰＡＰ１５ポリペプチド。
【請求項２２】
ＳＥＱ ＩＤ ＮＯ： １０、又は少なくとも５個のアミノ酸から成るその一部として特定されるアミノ酸配列で構成される、ＰＡＰ２０ ポリペプチド。
【請求項２３】
当該方法が、（ｉ）当該ＰＡＰを認識する抗体で当該サンプルを結合させ、（ｉｉ）ＰＡＰ及び当該ＰＡＰに対する抗体の間で形成された錯体の存在又は不存在を検出する、ＰＡＰ７、ＰＡＰ８、ＰＡＰ１５、ＰＡＰ２０で構成されるグループから選ばれるサンプル中でＰＡＰを検出する方法。
【請求項２４】
当該方法が二ハイブリッド分析で構成される、ＰＢＲ関連タンパク質を検出する方法。
【請求項２５】
ＳＥＱ ＩＤ ＮＯ： ６、７ 、８及び９で特定されるアミノ酸配列又はその一部を有するペプチドに対する抗体。
【請求項２６】
ＳＥＱ ＩＤ ＮＯ： １１で特定されるアミノ酸配列で構成されるペプチドに対するＰＡＰ７抗体。
【請求項２７】
当該方法が、（ｉ）当該ＰＡＰが当該細胞中で造られるように請求項１０記載の組み替えＤＮＡ構造を細胞中へ送入し、（ｉｉ）ＰＡＰ活性を低減させ又は除去する少なくとも１種類の薬剤を単独又は組み合わせて当該細胞に添加し、（ｉｉｉ） 当該薬剤の存在下に当該細胞中におけるＰＡＰ活性を検出してこれを当該薬剤を添加しなかった比較対照と比較することで構成される、ＰＡＰ活性を低減させ又はこれを除去する薬剤を検出する方法。ここに、比較対照と比較してＰＡＰ活性が減少した場合、当該減少は、薬剤がＰＡＰ活性を低減させ又は除去したことを示している。
【請求項２８】
当該方法が、（ｉ）ＰＡＰが当該細胞中で造られるように請求項１０記載の組み替えＤＮＡ構造を細胞に送入し、（ｉｉ）当該細胞に少なくとも１種類の薬剤を単独又は組み合わせて添加し、（ｉｉｉ） 当該薬剤がＰＡＰ活性を刺激するかどうかを調べる目的で、当該細胞中においてＰＡＰ活性を測定し、これを当該薬剤を添加しなかった比較対照と比べることにより検出することで構成される、ＰＡＰ活性発現促進薬剤の検出方法。ここに、当該細胞中における当該ＰＡＰ活性がと比較対照と比べて増加した場合、当該増加は当該薬剤が刺激性であることを示している。
【請求項２９】
ＰＡＰ活性の抑制能力を有する薬剤。
【請求項３０】
ＰＡＰ活性の促進能力を有する薬剤。
【請求項３１】
ＰＡＰ活性を低減又は除去することが有益な病気を治療するために使用する、請求項２９記載の薬剤で構成される治療用化合物。
【請求項３２】
ＰＡＰ活性の増加が有益な病気を治療するために使用する、請求項３０記載の薬剤で構成される治療用化合物。
【請求項３３】
サンプル中のＰＡＰ７、ＰＡＰ８、ＰＡＰ１５及びＰＡＰ２０で構成されるグループから選ばれた少なくとも１種類のＰＡＰを、ポリメラーゼ連鎖反応を使用して検出する方法。
【請求項３４】
ＰＡＰ ＲＮＡ又はｃＤＮＡへのハイブリッド化或いはＰＡＰ配列及び適切な補助薬剤の増幅もしくはそのいずれかに適した、当該ＰＡＰ ＲＮＡ又はｃＤＮＡに固有のプライマー又はオリゴヌクレオチドから成るサンプル中のＰＡＰ７、ＰＡＰ８、ＰＡＰ１５及びＰＡＰ２０で構成されるグループから選ばれた、少なくとも１種類のＰＡＰのＲＮＡ又はｃＤＮＡを検出することを目的とする診察用キット。
【請求項３５】
当該核酸を発現させ、当該細胞中でＰＡＰを造ることを目的として、当該細胞中に当該ＰＡＰをコード化するＰＡＰ核酸を導入することによる、細胞中のＰＡＰ３、ＰＡＰ７、ＰＡＰ８、ＰＡＰ１５及びＰＡＰ２０から成るグループから選ばれたＰＡＰの増加方法。
【請求項３６】
当該方法が当該治療を必要とする個人に、ＰＡＰ発現又は機能を低減させ又はこれを除去する有効量の薬剤を医薬用希釈剤に添加して投与することで構成される、細胞増殖の増加が原因で発生する病気を治療し又はその症状を改善することを目的とする治療方法。
【請求項３７】
当該病気が癌である、請求項３６記載の方法。
【請求項３８】
当該方法が、当該治療を必要とする個人にＰＡＰの発現量又はその機能を低減させ又はこれを除去する薬剤を医薬用希釈剤に添加してその有効量を投与することにより構成される、コレステロールの異常水準により発生する症状を治療又は改善することを目的とする治療方法。
【請求項３９】
当該症状が癌、神経退行性疾患、進行性疾患、ストレス、及び発作から成るグループから選ばれる、請求項３８記載の治療方法。
【請求項４０】
当該方法が、当該細胞中においてＰＡＰの水準を増減させることにより構成される、細胞中でＰＡＰの活性、機能又は標的を調節する方法。
【発明の詳細な説明】
【０００１】
（発明の分野）
本発明は、突然変異体、変異体、フラグメント及び誘導体を含む周辺型ベンゾジアゼピン受容体（ＰＢＲ）関連タンパク質（ＰＡＰ）をコード化する核酸分子に関するものである。  また本発明は、このような核酸分子で構成されるベクター及び宿主細胞、ＰＡＰの使用方法、ＰＡＰ又はＰＢＲの抑制剤及び活性化剤をスクリーニングする方法、及び本発明の組成物又はポリペプチドで構成されるキットに関するものでもある。
【０００２】
（発明の背景）
周辺型ベンゾジアゼピン受容体（ＰＢＲ）は、元来、これがベンゾジアゼピン ジアゼパムを比較的高親和力で結合させる機能を有するが故に発見されたものである（Ｐａｐａｄｏｐｏｕｌｏｓ， Ｖ； １９９３， Ｅｎｄｏｃｒ． Ｒｅｖ． １４， ２２２−２４０）。ベンゾジアゼピンは、中枢神経系においてγ−アミノ酪酸受容体活性の調節による仲介不安を緩和させる薬理作用を有し、そのために最も高い頻度で処方される薬剤の一つである（Ｃｏｓｔａ， Ｅ．及びＧｕｉｄｏｔｔｉ， Ａ．； １９７９， Ａｎｎｕ． Ｒｅｖ． Ｐｈａｒｍａｃｏｌ． Ｔｏｘｉｃｏｌ． １９， ５３１−５４５）。ＰＢＲは、上記神経伝達物質受容体と区別される、もう一つの種類に属するベンゾジアゼピンの結合サイトである。より詳細な研究の結果、ベンゾジアゼピンの他にも、ＰＢＲは他の種類の有機化合物にも高親和力で結合することが判明した（Ｐａｐａｄｏｐｏｕｌｏｓ； １９９３， ｓｕｐｒａ）。ＰＢＲは、本発明において調査した全組織中に存在したが、ステロイド製造組織中に特に高濃度で存在することが明らかになった。当該組織中において、ＰＢＲは主に外部ミトコンドリア膜（ＯＭＭ）中に存在することが明らかになった（Ａｎｈｏｌｔ， Ｒ．Ｒ．Ｈ．ら； １９８６， Ｊ． Ｂｉｏｌ． Ｃｈｅｍ． ２６１， ５７６−５８３）。
【０００３】
１８ ｋＤａのイソキノリン結合タンパク質が、クローン化することにより発現したＰＢＲであることも確認されている（Ｐａｐａｄｏｐｏｕｌｏｓ， Ｖ． １９９８， Ｐｒｏｃ． Ｓｏｃ． Ｅｘｐ． Ｂｉｏｌ． Ｍｅｄ． ２１７： １３０−１４２．）。次にＰＢＲは、外部ミトコンドリア膜から内部ミトコンドリア膜へのコレステロール送入を仲介する、ステロイド生成組織（Ｐａｐａｄｏｐｏｕｌｏｓ， １９９８， ｓｕｐｒａ； Ｐａｐａｄｏｐｏｕｌｏｓ， Ｖ．ら， １９９０， Ｊ． Ｂｉｏｌ． Ｃｈｅｍ． ２６５， ３７７２−３７７９）の機能的構成成分であることも分かった（Ｋｒｕｅｇｅｒ， Ｋ．Ｅ．及びＰａｐａｄｏｐｏｕｌｏｓ， Ｖ．， １９９０， Ｊ． Ｂｉｏｌ． Ｃｈｅｍ． ２６５， １５０１５−１５０２２）。さらに詳細な研究の結果、生体中で副腎ＰＢＲが薬理作用により減少し、これにより、グルココルチコイドの循環量が減少することが判明した（Ｐａｐａｄｏｐｏｕｌｏｓ， Ｖ．； １９９８， ｓｕｐｒａ）。さらに、ライジッヒ細胞中のＰＢＲ遺伝子を標的としてこれを攪乱し、これにより、コレステロールのミトコンドリア中への輸送及びステロイドの形成、ＰＢＲ ｃＤＮＡによるステロイド生成で突然変異細胞の形質移入が阻止されることも判明した（Ｐａｐａｄｏｐｏｕｌｏｓ， Ｖ．ら； １９９７， Ｊ． Ｂｉｏｌ． Ｃｈｅｍ． ２７２， ３２１２９−３２１３５）。
【０００４】
ステロイド生成細胞中にはＰＢＲが極端に豊富に存在し、これが主に外部ミトコンドリア膜上に存在することが分かった（Ａｎｈｏｌｔ， Ｒ．ら， １９８６， Ｊ． Ｂｉｏｌ． Ｃｈｅｍ． ２６１， ５７６−５８３）。ＰＢＲは、１８ ｋＤａのイソキノリン結合タンパク質及び３４ ｋＤａの孔形成電圧依存アニオン タンパク質、好ましくは外部又は内部ミトコンドリア膜の接触サイト上に存在するこれらタンパク質で構成される、マルチメーター錯体に関連するものと考えられている（ＭｃＥｎｅｒｙ， Ｍ．Ｗ．ら， Ｐｒｏｃ． Ｎａｔｌ． Ａｃａｄ． Ｓｃｉ． Ｕ．Ｓ．Ａ． ８９， ３１７０−３１７４； Ｇａｒｎｉｅｒ， Ｍ．ら， １９９４， Ｍｏｌ． Ｐｈａｒｍａｃｏｌ． ４５， ２０１−２１１； Ｐａｐａｄｏｐｏｕｌｏｓ， Ｖ．ら， １９９４， Ｍｏｌ． Ｃｅｌ． Ｅｎｄｏｃｒ． １０４， Ｒ５−Ｒ９）。
【０００５】
ＰＢＲの薬剤リガンドがその受容体に結合すると、これが生体内のステロイド生成細胞中においてステロイド合成を刺激する（Ｐａｐａｄｏｐｏｕｌｏｓ， Ｖ．ら， １９９０， Ｊ． Ｂｉｏｌ． Ｃｈｅｍ． ２６５， ３７７２−３７７９； Ｒｉｔｔａ， Ｍ．Ｎ．ら， １９８９， Ｎｅｕｒｏｅｎｄｏｃｒｉｎｏｌｏｇｙ ４９， ２６２−２６６； Ｂａｒｎｅａ， Ｅ．Ｒ．ら， １９８９， Ｍｏｌ． Ｃｅｌｌ． Ｅｍｄｏｃｒ． ６４， １５５−１５９； Ａｍｓｔｅｒｄａｍ， Ａ．及びＳｕｈ， Ｂ．Ｓ．， １９９１， Ｅｎｄｏｃｒｉｎｏｌｏｇｙ １２８， ５０３−５１０； Ｙａｎａｇｉｂａｓｈｉ， Ｋ．ら， １９８９， Ｊ． Ｂｉｏｃｈｅｍ． （Ｔｏｋｙｏ） １０６， １０２６−１０２９）。
【０００６】
同様にして、生体内研究の結果から、下垂体切除を行ったネズミの体内において、高親和性ＰＢＲリガンドがステロイドの血漿濃度を増加させることが分かっている（Ａｍｒｉ， Ｈ．ら， １９９６， Ｅｎｄｏｃｒｉｎｏｌｏｇｙ １３７， ５７０７−５７１８）。さらに単離ミトコンドリアに関する生体内研究において、ＰＢＲリガンド、薬剤リガンド、又は内因性ＰＢＲリガンド、ポリペプチド ジアゼパム結合抑制剤（ＢＤＩ） （Ｐａｐａｄｏｐｏｕｌｏｓ， Ｖ．ら， １９９７， Ｓｔｅｒｏｉｄｓ ６２， ２１−２８）が、コレステロールの外部ミトコンドリア膜から内部ミトコンドリア膜への移行速度を増加させることにより、プレグネノロンの生成を刺激するという証拠が得られている（Ｋｒｕｅｇｅｒ， Ｋ．Ｅ．及びＰａｐａｄｏｐｏｕｌｏｓ， Ｖ．， １９９０， Ｊ． Ｂｉｏｌ． Ｃｈｅｍ． ２６５， １５０１５−１５０２２； Ｙａｎａｇｉｂａｓｈｉ， Ｋ．ら， １９８８， Ｅｎｄｏｃｒｉｎｏｌｏｇｙ １２３， ２０７５−２０８２； Ｂｅｓｍａｎ， Ｍ．Ｊ．ら， １９８９， Ｐｒｏｃ． Ｎａｔｌ． Ａｃａｄ． Ｓｃｉ． Ｕ．Ｓ．Ａ． ８６， ４８９７−４９０１； Ｐａｐａｄｏｐｏｕｌｏｓ， Ｖ．ら， １９９１， Ｅｎｄｏｃｒｉｎｏｌｏｇｙ １２９， １４８１−１４８８）。
【０００７】
１８ ｋＤａ ＰＢＲのアミノ酸配列に基づき、三次元モデルが開発された（Ｐａｐａｄｏｐｏｕｌｏｓ， Ｖ．ら， １９９６， Ｔｈｅ Ｌｅｙｄｉｇ Ｃｅｌｌ； Ｐａｙｎｅ， Ａ．Ｈ．ら， （ｅｄｓ） Ｃａｃｈｅ Ｒｉｖｅｒ Ｐｒｅｓｓ， ＩＬ， ｐｐ ５９６−６２８）。このモデルは、コレステロール分子及びチャンネル機能に適合することが示されており、コレステロールの輸送におけるＰＢＲの役割を支持している。最近、我々はステロイド生成において相同的組み替えを行ってＰＢＲが存在しない細胞を発生させ、これにステロイド製造能力が無いことを示すことにより、ＰＢＲがステロイド生成反応で演じる役割について証明した（Ｐａｐａｄｏｐｏｕｌｏｓ， Ｖ．ら， １９９７， Ｊ． Ｂｉｏｌ． Ｃｈｅｍ． ２７２， ３２１２９−３２１３５）。
【０００８】
しかし、コレステロールの水溶性同族体である２２Ｒ−ヒドロキシコレステロールを添加することにより、これらの細胞はステロイドの製造能力を回復した。このことは、コレステロールの輸送機構が損なわれていたことを示している。さらに１８ ｋＤａのＰＢＲタンパク質を発現した細菌中でコレステロールの輸送実験を行い、コレステロール チャンネル機能又はコレステロール輸送機能を有することに関して、その決定的な証拠を得ることができた（Ｌｉ及びＰａｐａｄｏｐｏｕｌｏｓ， １９９８， Ｅｎｄｏｃｒｉｎｏｌｏｇｙ １３９， ４９９１−４９９７）。
【０００９】
神経膠腫（Ｒｉｃｈｆｉｅｌｄ， Ｅ．Ｋ．ら， １９８８， Ｎｅｕｒｏｌｏｇｙ ３８， １２５５−１２６２）、結腸腺癌及び卵巣癌（Ｋａｔｚ， Ｙ．ら， １９８８， Ｅｕｒ． Ｊ． Ｐｈａｒｍａｃｏｌ． １４８， ４８３−４８４； Ｋａｔｚ， Ｙ．ら， １９９０， Ｃｌｉｎｉｃａｌ Ｓｃｉ． ７８， １５５−１５８）のできたネズミの脳などについて数多くの腫瘍研究を行い、正常組織と比較して周辺型ベンゾジアゼピン受容体（ＰＢＲ）の濃度が著しく増していることが判明した。
【００１０】
本明細書に引用した下記及び上記の全文書については、参考文献として完全な形でこれらを引用した。さらに、ヒトの脳神経膠腫又は星細胞腫において、正常な柔組織と比較してＰＢＲの密度が１２倍に増加していることが見いだされた（Ｃｏｒｎｕ， Ｐ．ら， １９９２， Ａｃｔａ Ｎｅｕｒｏｃｈｉｒ １１９， １４６−１５２）。
【００１１】
本発明者らは、ＰＢＲ密度は、これらの細胞中における当該受容体の増殖活性を反映している可能性を示唆した。最近、ＰＢＲが細胞の増殖に関与していることがさらに示されており（Ｎｅａｒｙ， Ｊ．Ｔ．ら， １９９５， Ｂｒａｉｎ Ｒｅｓｅａｒｃｈ ６７５， ２７−３０； Ｍｉｅｔｔｉｎｅｎ， Ｈ．ら， １９９５， Ｃａｎｃｅｒ Ｒｅｓｅａｒｃｈ ５５， ２６９１−２６９５）、ヒトの星細胞腫中におけるその発現が、腫瘍の悪性度及び増殖指数に関連して起こるものであることが見いだされた（Ｍｉｅｔｔｉｎｅｎ， Ｈ．ら， ｓｕｐｒａ； Ａｌｈｏ， Ｈ．， １９９４， Ｃｅｌｌ Ｇｒｏｗｔｈ Ｄｉｆｆｅｒｅｎｃｅ ５， １００５−１０１４） 。
【００１２】
ヒト乳ガンのバイオプシーにおいてＰＢＲのキャラクタリゼーションを行った結果、ヒト乳腫瘍細胞の侵襲性及び転移性はＰＢＲの発現濃度に比例することが見いだされた。即ち、これら侵襲性及び転移性細胞においては、ＰＢＲが攻撃的な腫瘍細胞の核の中に主に存在するのに対して、侵襲性ではあっても非攻撃的な細胞の細胞質中においてはＰＢＲが細胞質中に主に存在し、これら細胞中におけるＰＢＲの細胞下位組織中における局在性と相関することが見いだされた。ＰＢＲの発現におけるこれらの変化を、乳癌患者において、特に攻撃的な固形腫瘍の検出、診断、予防及び治療用のツールとして広く利用することができる。
【００１３】
ＰＢＲ及びその内因性リガンド（ポリペプチドとジアゼパムの結合抑制剤）はともに構造的にステロイド生成細胞中に発現するので、ホルモンによるＰＢＲ機能の調節は、他のタンパク質との関連により行われる。この相互作用により、ステロイドの生合成が開始される。従って、どのタンパク質がＰＢＲに関連し、ＰＢＲの機能を調節するのかを確認する必要がある。
【００１４】
（発明の要約）
本発明は、上記ニーズに適合するものである。我々は二ハイブリッド系を使用して、ＰＢＲと相互作用するＰＢＲ関連タンパク質（ＰＡＰ）を突き止めることができた。我々は、マウスの精巣ｃＤＮＡライブラリーを検索するためにＰＢＲを餌として使用した。そのＰＢＲとの相互作用能力により、これらのライブラリーからＰＢＲと相互作用する５種類のクローン （ＰＡＰ３、ＰＡＰ７、ＰＡＰ８、ＰＡＰ１５及びＰＡＰ２０）を単離した。確認されたヌクレオチド配列の中で、ＰＡＰ３は、前に単離したｍｅｇ１タンパク質（Ｄｏｎ， Ｊ．及びＷｏｌｇｅｍｕｔｈ， Ｄ．Ｊ．， １９９２， Ｃｅｌｌ Ｇｒｏｗｔｈ Ｄｉｆｆｅｒ． ３， ４９５； Ｅｖｅｒ， Ｌ． ５， １９９９， Ｃｅｌｌ Ｇｒｏｗｔｈ Ｄｉｆｆｅｒ． １０， １９−２６）と同一の配列であった。ゲンバンク データベースを検索したところＰＡＰ７、ＰＡＰ８、ＰＡＰ１５及びＰＡＰ２０に相当する配列は見つからず、従ってこれらは新規配列であることが分かった。ＰＡＰ７及びＰＡＰ１７は、同じ新規タンパク質産物の異なるクローンである。全ＰＡＰは脂肪族アシル化（ミリストイル化）サイト及びＰＫＣホスフォリル化サイトを有している。さらに、ＰＡＰ２０はＰＫＡホスフォリル化サイトを有している。ＰＡＰの分布及び機能、並びにそのＰＢＲに対する機能的関係に関しては、現在検討中である。
【００１５】
これまで脳、精巣、卵巣、副腎、腎臓及び筋肉などのマウス主要組織中におけるＰＡＰ７の分布は、ＰＢＲのより広い発現パターンに類似のプロフィールを示し、その発現量は当該組織のステロイド生成能力に平行していた。これらのデータは、ＰＢＲの機能調節における、当該受容体の内因生リガンド又はアロステリック調節剤とし役立つこれらＰＡＰの役割を示している。
【００１６】
従って、ＰＡＰ３（ＳＥＱ ＩＤ ＮＯ： １）、ＰＡＰ７（ＳＥＱ ＩＤ ＮＯ： ２）及びゲンバンク取得番号ＡＦ０２２７７０、ＰＡＰ８（ＳＥＱ ＩＤ ＮＯ： ３）、ＰＡＰ１５（ＳＥＱ ＩＤ ＮＯ： ４）及びＰＡＰ２０（ＳＥＱ ＩＤ ＮＯ： ５）及びゲンバンク取得番号ＡＦ０２０３３８などのＰＢＲ関連タンパク質をコード化する新規ＤＮＡフラグンメントを提供することが、本発明の目的ではない。ＤＮＡフラグメントはｃＤＮＡであるかゲノムＤＮＡであるかを問わず、いずれもＰＢＲ関連タンパク質コード核酸配列の検出用診断剤として、又はＤＮＡコード化タンパク質調製用薬剤として、又はＰＡＰコード化配列調製用薬剤として、又は治療剤として使用することができる。
【００１７】
上記ＤＮＡ配列によりコード化されたＰＡＰ用アミノ酸配列を提供することが、本発明のもう一つの目的である。
【００１８】
ベクター及び上記ＤＮＡフラグメントで構成される組み替えベクターを提供することが、本発明のもう一つの目的である。
【００１９】
上記組み替えＤＮＡ構造で形質変換した宿主細胞を提供することが、本発明のもう一つの目的である。
【００２０】
宿主細胞を上記ＤＮＡフラグメントが発現されてＰＡＰが造られるような条件下で培養し、当該ＰＡＰを単離して、例えば薬剤及びＰＢＲ又はＰＡＰ自体の抑制剤検索試薬として、又は診断用試薬として、又は治療用試薬としてこれを使用することによりＰＡＰを製造する方法を提供することが、本発明のもう一つの目的である。
【００２１】
上記組み替えＰＡＰに対する抗体を提供することが、本発明のさらに他の目的である。
【００２２】
（ｉ）サンプルを、上記ＰＡＰのいずれか一つを認識する抗体と結合させ、
（ｉｉ）ＰＡＰとこれに固有の抗体との間で形成される錯体の存在又は不存在を検出する
ことで構成される、サンプル中のＰＡＰ３、ＰＡＰ７、ＰＡＰ８、ＰＡＰ１５、又はＰＡＰ２０を検出する方法を提供することが、本発明のさらに他の目的である。
【００２３】
ＰＡＰに対する抗体及び細胞、組織又は酵母菌、哺乳類、動物、鳥、魚の血清、及び植物中にＰＡＰが存在することを検出する目的に適した補助試薬で構成される診断用キットを提供することが、本発明のさらに他の目的である。
【００２４】
ポリメラーゼ連鎖反応を使用して、サンプル中のＰＡＰを検出する方法を提供することが、本発明のさらに他の目的である。
【００２５】
ＰＡＰ ＲＮＡ又はｃＤＮＡへのハイブリッド化及びＰＡＰ配列の増幅に適したＰＡＰ ＲＮＡ又はｃＤＮＡに固有のプライマー又はオリゴヌクレオチド、及び哺乳類の組織中でＰＡＰ ＲＮＡ又はｃＤＮＡを検出する目的に適した補助試薬で構成される診断用キットを提供することが、本発明のさらに他の目的である。
【００２６】
ハイブリッド化分析により、サンプル中のＰＡＰ ＲＮＡ又はｃＤＮＡの存在又は不存在を分析することで構成される、サンプル中のＰＡＰを検出する方法を提供することが、本発明のさらに他の目的である。
【００２７】
サンプル中のＰＢＲを測定する方法を提供することが、本発明の目的の一つである。当該方法は、ＰＢＲと錯体化したＰＡＰの存在を測定することで構成される。
【００２８】
ＰＢＲとＰＡＰの相互作用を増減させることにより、ＰＢＲの機能を調節し又はＰＢＲの標的を変更する方法を提供することが、本発明のさらにもう一つの目的である。調節できるＰＢＲの機能には、コレステロールの細胞中への輸送機能、ステロイドの製造機能、細胞の増殖機能、及び胚形成機能などが含まれる。
【００２９】
ＰＢＲの機能を増減させるようなＰＡＰを細胞中へ送入することにより、細胞中におけるＰＢＲの機能又は発現量を増減させる方法を提供することが、本発明のさらにもう一つの目的である。
【００３０】
当該細胞中におけるＰＡＰ濃度を変更することにより、ステロイド生成量を増減させる方法を提供することが、本発明のさらにもう一つの目的である。
【００３１】
ＰＢＲの機能異常又は発現異常又は局在化が原因で細胞の増殖量が増え、これにより起こる病気を治療し又はその症状を改善する方法を提供することが、本発明のさらにもう一つの目的である。当該方法は、このような治療を必要とする個人に、ＰＢＲの当該異常発現、異常機能又は異常局在化を修正するような有効量のＰＡＰに医薬用希釈剤を添加し、これを投与することにより構成される。
【００３２】
細胞の増殖量が減少したために起こった病気を治療又は改善する方法を提供することが、本発明のさらにもう一つの目的である。当該方法は、このような治療を必要とする個人に、有効量のＰＡＰ又はこれに対する抗体又はＰＡＰの発現又は機能を抑制する薬剤を、医薬用賦形剤に加えてこれを投与することにより構成される。
【００３３】
ステロイド生成量の増減により起こる病気を治療又は改善する方法を提供することが、本発明のさらにもう一つの目的である。当該方法は、このような治療を必要とする個人に有効量のＰＡＰ又はこれに対する抗体或いはＰＡＰの発現量又は機能を抑制又は活性化する薬剤を医薬用賦形剤に添加して投与することにより構成される。
【００３４】
ＰＡＰ及び当該全配列又は当該配列のフラグメントを組み入れるベクターをコード化するｃＤＮＡ配列、並びに当該ベクターで形質変換され又はこれにより転写された原核生物又は真核生物の細胞を、このような細胞中においてＰＡＰ又はＰＢＲの発現又は機能を抑制する薬剤の検索に使用する目的で提供することが、本発明のさらにもう一つの目的である。
【００３５】
（詳細な説明）
本明細書に記載した５種類のＰＡＰは、二ハイブリッド化分析法を使用することにより見いだされた。当該二ハイブリッド化分析法は、生体内におけるタンパク質−タンパク質相互作用の検出を目的とする、酵母菌による遺伝子分析法である。二ハイブリッド分析法で陽性の結果が得られた場合、標的タンパク質と相互作用を有するタンパク質コード化遺伝子を迅速に同定することが可能である。さらに、当該二ハイブリッド分析法は、弱い一時的な相互作用でも検出できる高感度検出法である。このように弱い一時的な相互作用は、大型天然錯体の特徴である。最も注目すべきは、当該二ハイブリッド分析法は生体内で実施されるので、当該分析において関与するタンパク質は、天然の形態を取っている可能性が高い。
【００３６】
二ハイブリッド分析法は、多くの真核生物の転写活性化剤が、２種類の物理的に分離できるモジュール式ドメインで構成されているという事実に基づいて実施される。その一つはＤＮＡ結合ドメインとして作用し、他の一つは転写活性化ドメインとして機能する。ＤＮＡ結合ドメインは転写因子をこの因子により規制される遺伝子の上流域に存在する特定ＤＮＡ配列に局在化し、活性化ドメインは転写の開始に必要な他の転写成分に接触する。両ドメインは正常な活性化機能のために必要であり、通常、これら２つのドメインは同じタンパク質の一部を形成している。
【００３７】
我々のＰＡＰ検索実験においては、ＣＬＯＮＴＥＣＨ社から入手したＭＡＴＣＨＭＡＫＥＲ Ｔｗｏ−Ｈｙｂｒｉｄ Ｓｙｓｔｅｍを使用した。このＭＡＴＣＨＭＡＫＥＲ Ｓｙｓｔｅｍにおいては、ＧＡＬ４転写活性化剤の２つの機能ドメインをコード化する配列が、２つの異なるシャトル又は発現ベクター（ｐＧＢＴ９及びｐＧＡＤ１０）の中へクローン化されている。当該ｐＧＢＴ９ハイブリッド クローン化ベクターは、ＧＡＬ４ ＤＮＡ結合ドメインとＰＢＲタンパク質を融合させるために使用される。
【００３８】
ｐＧＡＤ１０ ハイブリッド クローン化ベクターは、ＧＡＬ４活性化ドメインとランダム タンパク質の集団を融合マウス精巣ライブラリー（ＣＬＯＮＴＥＣＨ社）の中で融合させるために使用される。両ハイブリッド タンパク質は、そのいずれかがＧＡＬ４ ＤＮＡ結合ドメインであるか又は異種起源から当該活性化ドメインに添加された核局在化配列により、酵母菌核を標的として作用する。
【００３９】
ＰＢＲタンパク質及び未知タンパク質（単数又は複数）が相互作用を及ぼし合う場合、ＧＡＬ４のＤＮＡ結合ドメインはその転写活性化ドメインに結合するので、上流のＧＡＬ４結合サイトを含む適切なレポーター遺伝子（ｌａｃＺ又はＨＩＳ３）の転写固有機能を使用して、２つのタンパク質間の相互作用が示される。これにより、２つの相互に作用し合うハイブリッド構造により形質変換されるクローンの陽性選択が可能となり、ライブラリー検索が一層便利で実用的に行えるようになる。陽性クローンの存在が確認された後、キットに備えられた配列決定用プライマーを使用して、相互に作用し合うタンパク質に対応する遺伝子の配列を決定した。
【００４０】
一つの態様において、本発明は、ＰＢＲ関連タンパク質（ＰＡＰ）をコード化するＤＮＡ又はｃＤＮＡの配列に関するものである。単離したクローンは５種類であった。即ち、ＰＡＰ３：５６８ ｂｐで構成され、ＳＥＱ ＩＤ ＮＯ： １で示される（Ｄｏｎ， Ｊ．及びＷｏｌｇｅｍｕｔｈ， Ｄ．Ｊ．， １９９２， Ｃｅｌｌ Ｇｒｏｗｔｈ Ｄｉｆｆｅｒ． ３， ４９５； Ｅｖｅｒ， Ｌ．ら， １９９９， Ｃｅｌｌ Ｇｒｏｗｔｈ Ｄｉｆｆｅｒ． １０， １９−２６）。８３個のアミノ酸（ＳＥＱ ＩＤ ＮＯ： ６）から成るペプチドをコード化する。ＰＡＰ７：ＳＥＱ ＩＤ ＮＯ： ２で示される配列の６９６から１１６４まで延びる５７７ ｂｐで構成され、３６３個のアミノ酸から成り、ＳＥＱ ＩＤ ＮＯ： ７で示されるポリペプチドをコード化する。ＰＡＰ８：ＳＥＱ ＩＤ ＮＯ： ３で示される５６８ ｂｐで構成され、ＳＥＱ ＩＤ ＮＯ： ８で示される１９０個のアミノ酸から成るポリペプチドをコード化する。ＰＡＰ１５：ＳＥＱ ＩＤ ＮＯ： ４で示される４９０ ｂｐで構成され、ＳＥＱ ＩＤ ＮＯ： ９で示される１６４個のアミノ酸から成るポリペプチドをコード化する。ＰＡＰ２０：ＳＥＱ ＩＤ ＮＯ： ５で示される５８８ ｂｐで構成され、ＳＥＱ ＩＤ ＮＯ： １０で示される１９６個のアミノ酸から成るポリペプチドをコード化する。
【００４１】
ＰＡＰ３は、前に単離したｍｅｇ １と同じタンパク質であることが確認された。
【００４２】
ＰＡＰ７及びＰＡＰ１７は、同じ新規タンパク質産物の異なるクローンである。５’，３’−ＲＡＣＥ Ｓｙｓｔｅｍ （ＣＬＯＮＴＥＣＨ社）を使用することにより、その他にもＰＡＰ７配列が得られ、そのほぼ完全長遺伝子が、停止コドン及び３’端のいくつかの未翻訳配列を含め、ＳＥＱ ＩＤ ＮＯ： ２として確認された。ＤＮＡ配列によりコード化されるポリペプチドの分子量は、約５０ ｋＤと計算された。５７７ ｂｐの初期単離ＤＮＡフラグメントから造られたＰＡＰ７抗体を使用して、下記の例に示す方法により、約５２ ｋＤのタンパク質を免疫沈降させた。
【００４３】
タンパク質配列の分析を行った結果、いくつかの共通配列及び下記重要サイトの存在が明らかになった。即ち、２６２−２６７及び２７１−２７６の位置におけるＳＥＱ ＩＤ ＮＯ： ７で示される２個の潜在的ミリストイル化サイト、３９５−３９６、１１３−１１５、２５５−２５７、２８０−２８２、３３１−３３３、及び３３９−３４１におけるＳＥＱ ＩＤ ＮＯ： ７で示される５個のＰＫＣホスフォリル化サイト、位置２４−１０８におけるＳＥＱ ＩＤ ＮＯ： ７で示されるアシル−Ｃｏ−Ａサイト、位置１５０−１６７におけるＳＥＱ ＩＤ ＮＯ： ７の核局在化ドメイン、位置９８−２４７におけるＳＥＱ ＩＤ ＮＯ： ２で示されるトロポニン サイト、及び位置１２６−１５５におけるＳＥＱ ＩＤ ＮＯ： ７で示されるＨＳＰ９０ドメインである。
【００４４】
ＰＡＰ７の分布及び発現状況を、脳、精巣、卵巣、副腎及び腎臓などマウスの主要組織並びにマウスＣ６神経膠腫細胞、ＭＡ−１０ ライジッヒ細胞、及びＹ１副腎皮質細胞などの組織培養細胞系で調べた。ステロイドの生合成に関与するいずれの組織細胞系においても、ＰＡＰ７の発現パターンは、ＰＢＲの幅広発現プロフィールに類似していた。さらに、これら細胞系におけるＰＢＲ及びＰＡＰ７の発現量は、いずれもそのステロイド生合成能力と関係付けることができた。このことは、ＰＡＰ７がＰＢＲによるステロイドの生合成に実際に関与している可能性を示唆している。
【００４５】
ＰＡＰ６、ＰＡＰ１５及びＰＡＰ２０は新規遺伝子である。ＰＡＰ２０でコード化されるポリペプチドには、２個の潜在的ミリストイル化サイト、１個のＰＫＣホスフォリル化サイト、及び１個のＰＫＡホスフォリル化サイトが存在する。タンパク質をミリストイル化することにより、当該タンパク質を細胞膜に接触させることが可能になり、細胞信号の発信に参加できるようになる（Ｃａｓｅｙ， Ｐ．Ｊ．， １９９５， Ｓｃｉｅｎｃｅ ２６８， ２２１−２２５； Ｂｏｕｔｉｎ， Ｊ．Ａ．， １１９９７， Ｃｅｌｌ Ｓｉｇｎａｌ ９， １５−３５）。ＰＡＰ２０は、主に精巣内に発現される。ＰＢＲのＰＡＰ２０との相互作用は、リガンドとしてＰＫ１１１９５を使用してリガンド結合の親和力を増大させた。従って、ＰＡＰ２０がＰＢＲの内因生リガンド ＤＢＩに対する親和力を調節して、ＰＢＲ機能の増減に役立っている可能性が高い。ＰＡＰ３及びＰＡＰ２０の組織分布を、それぞれ図７及び図８に示す。
【００４６】
従って、本発明の一つの側面は、ＰＡＰポリペプチドをコード化する、ＳＥＱ ＩＤ ＮＯ： １−９から選ばれたヌクレオチド配列のポリヌクレオチドで構成される、単離核酸分子を提供するものである。本明細書に記載したＰＡＰ遺伝子の他の部分又は完全部分をコード化するｃＤＮＡ又はゲノム配列をクローン化する目的で、本明細書に記載された配列を使用することは、当該技術分野に精通した通常技量の持ち主であれば、容易に実施し得るものであり、従って、これらの関連配列は本発明の範囲内に含まれるものである。
【００４７】
さらに本発明の単離核酸分子には、上記の配列とは実質的に異なってはいても、遺伝子コードが縮重しているために、まだＰＡＰをコード化能力を維持している配列で構成されるＤＮＡ分子が含まれる。勿論、当該遺伝子コード及び種固有コドンの指向性については、当該技術分野において良く知られるところである。従って、当該技術分野に精通した人にとっては、例えば特定宿主のためにコドンの発現を最適化する（例えばヒトｍＲＮＡ中のコドンをＥ．ｃｏｌｉなどの細菌性宿主又は植物性宿主に適したコドンに変化させる）目的で、上記縮重変異体を造るようなことは日常茶飯事である。
【００４８】
本発明の核酸分子は、ｍＲＮＡのようなＲＮＡ形態でも、或いは、例えばクローン化又は合成法により得られるｃＤＮＡ形態であっても又はゲノムＤＮＡなどのＤＮＡ形態であっても良い。当該ＤＮＡは二重鎖であっても一重鎖であっても良い。一重鎖ＤＮＡ又はＲＮＡはコード化鎖となることができ、センス鎖としても知られている。一重鎖は非コード化鎖となることもできる。当該一重鎖はアンチセンス鎖とも呼ばれている。
【００４９】
「単離」されることにより、核酸分子はその天然環境から取り出された核酸分子、ＤＮＡ又はＲＮＡとしての利用を意図することができる。例えば、ベクター中に含まれる組み替えＤＮＡ分子は、本発明においては「単離」分子であると考えられる。さらに他の「単離」ＤＮＡ分子の例として、非相同宿主細胞中に維持され又は（部分的又は実質的に）精製された溶液中の組み替えＤＮＡ分子を挙げることができる。単離ＲＮＡ分子には、本発明におけるＤＮＡ分子の生体内又は生体外ＲＮＡ転写体が含まれる。本発明における単離核酸分子には、さらに合成法により造られる分子も含まれる。
【００５０】
本発明は、さらに核酸分子のコード化部分又は本明細書に記載したヌクレオチド配列のコード化フラグメントをも指向するものである。フラグメントには、２個の整数から選ばれた、その長さが少なくとも１０個の隣接ヌクレオチド部分も含まれる。２個の整数の中の１つはヌクレオチド位５’を、他の一つはヌクレオチド位３’を示す。ここに、各ヌクレオチド配列における第一のヌクレオチドを以て位置１とする。即ちこれらの整数は、その長さが少なくとも１０個の隣接ヌクレオチド塩基或いは１０及び完全ヌクレオチド配列の長さ−１の間の整数におけるフラグメントの５’位及び３’位のヌクレオチドの全組み合わせを示している。
【００５１】
さらに本発明には、ヌクレオチドの位置ではなく、そのサイズで特定されるフラグメントで構成されるポリヌクレオチドが含まれる。本発明には、隣接ヌクレオチドに関して、１−及び完全ヌクレオチド配列の完全長−１の間の整数から選ばれた、全サイズのフラグメントが含まれる。優先的なサイズには、２０−５０個のヌクレオチド、プライマー及びプローブとして有用な５０−３００個のヌクレオチドが含まれる。代表的な配列が誘導される領域には、例えば当該配列の中で特定のエピトープ又はドメインをコード化する領域が含まれるが、当該領域はこれらに限定されるものではない。当該領域には、特に、例えばＳＥＱ ＩＤ ＮＯ： １， ２， ３， ４ 及び５で示されるＰＢＲ結合ドメイン、ＳＥＱ ＩＤ ＮＯ： ７の位置２６２−２６７及び位置２７１−２７６における潜在的ミリストイル化サイト、並びにＳＥＱ ＩＤ ＮＯ： ７の位置３９５−３９６、位置１１３−１１５、位置２５５−２５７、位置２８０−２８２、位置３３１−３３３、及び位置３３９−３４１における５個のＰＫＣホスフォリル化サイト、ＳＥＱ ＩＤ ＮＯ： ７の位置２４−１０８におけるアシル−Ｃｏ−Ａサイト、ＳＥＱ ＩＤ ＮＯ： ７の位置１５０−１６７における核局在化ドメイン、ＳＥＱ ＩＤ ＮＯ： ７の位置９８−２４７におけるトロポニン サイト、並びにＳＥＱ ＩＤ ＮＯ： ７の位置１２６−１５５ におけるＨＳＰ９０ドメインなどがある。
【００５２】
他の側面において、本発明は、厳しいハイブリッド化条件下において本発明の上記ポリヌクレオチド配列又はその特定フラグメントにハイブリッド化するようなポリヌクレオチドで構成される、単離核酸分子を提供するものである。「厳しいハイブリッド化条件」とは、下記で構成される溶液中で４２ ℃、一晩中インキュベートすることを意味している。即ち、５０％ホルムアミド、５Ｘ ＳＳＣ （１５０ ｍＭ ＮａＣｌ， １５ ｍＭクエン酸三ナトリウム）、５０ ｍＭ燐酸ナトリウム（ｐＨ ７．６）、５Ｘデンハルト溶液、１０％硫酸デキストラン、及び２０ ｇ／ｍｌの擦り混ぜた変成サケ精液ＤＮＡの溶液を使用する。インキュベート後、フィルターを約６５℃の０．１Ｘ ＳＳＣ中で洗浄する。
【００５３】
本発明のポリペプチド又はその一部をコード化する配列は、当該技術分野において良く知られているような標識配列、又は融合ポリペプチドの精製を容易にする目的でペプチドをコード化するような配列、ヘルパーＴ細胞を刺激することで知られている抗原決定基、後翻訳修飾サイトをコード化するペプチド、又は融合タンパク質を希望位置、例えば非相同リーダー配列に対して標的化するアミノ酸配列を持つペプチドなど、追加機能を付与するような他の配列にこれを融合させることができる。
【００５４】
本発明は、さらに本発明におけるＰＡＰの一部、その類似体又はその誘導体をコード化する核酸分子の変異体に関するものである。変異体は、天然対立遺伝子変異体などのように天然に存在するものもある。
【００５５】
「対立遺伝子変異体」は、ある微生物の染色体に与えられた遺伝子座を占拠するいくつかの遺伝子形態の一つを意味している。非天然変異体は、既知の突然変異生成技術によりこれを造ることができる。このような変異体には、ヌクレオチド置換、欠失、又は１個以上のヌクレオチドをコード化又は非コード化領域或いはこれら両方の領域に付加することにより造られる変異体が含まれる。コード化領域に変更を加えると、保守的又は非保守的なアミノ酸の置換、欠失、又は付加構造をつくり出す。これらの中で特に好ましいのは、本明細書で開示したＰＡＰポリペプチド又はその一部の性質及び活性を変化させないような無症状置換、付加、及び欠失である。この点で好ましいものに、保守的置換がある。
【００５６】
上記核酸に対して少なくとも９０−９９％の同一性を有する核酸分子は、本発明のもう一つの側面である。これらの核酸は、ＰＡＰ活性を有するポリペプチドをコードかするかしないかに係わり無く、本発明の範囲に含まれる。「ＰＡＰ活性を有するポリペプチド」という語は、下記方法により測定した本発明のＰＡＰ活性に似てはいても、これと同一ではない活性を示すポリペプチドを表している。本発明におけるポリペプチドの生物学的活性又は機能は、高度の構造的同一性又は類似性を共有する他の微生物から採取したポリペプチドと類似しているか、又はこれと同一であることが期待される。
【００５７】
他の態様において、本発明は、上記のベクター及びＤＮＡ配列を含む組み替えＤＮＡ分子に関するものである。当該ベクターは、プラスミド、ファージ、コスミド、ＹＡＣ、ＤＮＡベクター Ｐｉｃｈｉａ ｐａｓｔｏｒｉｓなどの真核生物発現ベクター、又は例えばバキュロウィルス ベクター、レトロウィルス ベクター又はアデノウィルス ベクターなどのウィルス ベクター、及び当該技術分野で知られているその他ベクターの形を取ることができる。
【００５８】
クローン化遺伝子は、プロモーター配列、又は誘発可能な配列又は細胞型固有配列など、ある種の制御配列の制御下に置く（即ちこれと結合するように操作する）ことができる。当該技術分野に普通程度に精通した人には、これに適したプロモーターが何であるかは、良く知られているところである。当該発現構造は、さらに転写サイト、開始サイト、終結サイト、及び転写領域においては翻訳用リボソーム結合サイトを含有している。好んで使用されるベクターの中には、例えばｐＧＢＴ９、ｐＧＡＤ１０ （ＣＬＯＮＥＴＥＣＨ社）、ＰＳＶｚｅｏ （Ｉｎｖｉｔｒｏｇｅｎ社）、ｐＢｌｕｅＳｃｒｉｐｔ （Ｓｔｒａｔａｇｅｎｅ社）、ｐＣＭＶ５ （Ｉｎｖｉｔｒｏｇｅｎ社）、ｐＣＲＩＩ （Ｉｎｖｉｔｒｏｇｅｎ社）などがある。
【００５９】
当該構造の宿主細胞導入は、燐酸カルシウムの形質移入、電気泳動、感染、及びその他当該技術分野で知られており、Ｃｕｒｒｅｎｔ Ｐｒｏｔｏｃｏｌｓ ｉｎ Ｍｏｌｅｃｕｌａｒ Ｂｉｏｌｏｇｙ， Ａｕｓｕｂｅｌ， Ｆ．Ｍ．ら編， Ｗｉｌｅｙ ＆ Ｓｏｎｓ， Ｉｎｃ．など、標準的な試験室マニュアルに記載されている方法により、これを実施することができる。本明細書に引用した全文書（前記及び後記）は、参考文献としてそれらを完全な形で引用した。
【００６０】
さらに他の態様において、本発明は、安定に形質変換し、又は上記組み替えＤＮＡ構造をトランスフェクトした宿主細胞に関するものである。当該宿主細胞は原核生物（例えば細菌）の細胞であっても、低級真核生物（例えば酵母菌又は昆虫）又は高級真核生物（例えばネズミ及びヒトを含む全動物；但しこれらに限定されるものではない）であっても良い。指定宿主に適した制御配列を使用する限り、原核生物の宿主も真核生物の宿主も、ともに希望するコード化配列の発現にこれらを使用することができる。原核生物の宿主の中にあって、Ｅ．ｃｏｌｉは最も頻繁に使用される宿主である。原核生物の宿主に対する発現制御配列には、プロモーター（オペレーター部分を含んでも含まなくても良い）結合サイト及びリボソーム結合サイトが含まれる。
【００６１】
原核生物の宿主に適した伝達ベクターは、通常、例えばｐＢＲ３２２（アンピシリン及びテトラサイクリン抵抗付与オペロンを含むプラスミド）、及び種々のＰＵＣベクターから誘導される。当該ベクターも抗生物質抵抗標識付与配列を含んでいる。これらの標識を選択使用することにより、適切な形質変換体を得ることができる。一般的なクローン化方法については、例えばＭａｎｉａｔｉｓ， Ｆｉｔｓｃｈ及びＳａｍｂｒｏｏｋ； Ｍｏｌｅｃｕｌａｒ Ｃｌｏｎｉｎｇ； 実験室マニュアル （１９８２）； 又はＤＮＡ Ｃｌｏｎｉｎｇ， Ｖｏｌ．Ｉ及びＩＩ （Ｄ．Ｎ． Ｇｌｏｖｅｒ編， １９８５）を参照されたい。
【００６２】
当該ＤＮＡ配列はベクター中に存在し、ＩｇＧ分子、アジュバント、担体、又はグルタチオン Ｓ−トランスフェラーゼ又は一連のヒスチジン残基（ヒスチジン タグとしても知られている）などは、ＰＡＰ生成助剤のコード化配列に結合するように操作することが可能である。当該組み替え分子は、植物細胞又は真核生物細胞、例えば哺乳類の細胞及び培養液中の酵母菌細胞をトランスフェクトする場合に適している可能性が高い。Ｓａｃｃｈｒｏｍｙｃｅｓ ｃｅｒｅｖｉｓｉａｅ、Ｓａｃｃｈａｒｏｍｙｃｅｓ ｃａｒｌｓｂｅｒｇｅｎｓｉｓ、及びＰｉｃｈｉａ ｐａｓｔｏｒｉｓは、酵母菌宿主の中で最も良く使用される細胞であり、便利な真菌性宿主である。
【００６３】
酵母菌ベクターに対する制御配列については、当該技術分野で良く知られている。発現用宿主細胞として入手可能な哺乳類細胞系も当該技術分野において良く知られており、これには多くの不死滅化細胞系が含まれている。これらの中でもＨＥＫ２９３細胞、ＮＩＨ３Ｔ３細胞、ＭＡ１０ライジッヒ細胞、マウスＣ６神経膠腫細胞、Ｙ１副腎細胞、及びＭＤＡ−２３１、ＭＣＦ−７など、乳癌細胞系などの当該不死滅化細胞系は、Ｔｈｅ Ａｍｅｒｉｃａｎ Ｔｙｐｅ Ｃｕｌｔｕｒｅ Ｃｏｌｌｅｃｔｉｏｎ （ＡＴＣＣ） からこれらを入手することができる。適切なプロモーターについても当該技術分野で良く知られており、これにはＳＶ４０、ラウス サルコマ ウィルス （ＲＳＶ）、アデノウィルス （ＡＤＶ）、ウシ パピロマ ウィルス （ＢＰＶ）、及びシトメガロウィルス （ＣＭＶ）などのウィルス性プロモーターが含まれている。
【００６４】
哺乳類の細胞もターミネーター配列及びポリＡ付加配列を必要とし、発現量を増大させるエンハンサー配列もこれに含めることができる。また、遺伝子増幅を引き起こすような配列も好ましい。これらの配列は、当該技術分野において良く知られた配列である。形質変換又はトランスフェクトした宿主細胞は、上記ＤＮＡ配列源としてこれを使用することができる。当該組み替え分子が発現系の形態を取る場合、当該形質変換細胞又はトランスフェクト細胞を下記タンパク質源として使用することが可能である。
【００６５】
他の態様において、本発明は、上記ＰＡＰポリペプチド又はその全対立遺伝子変異体に関するものである。当該変異体は、当該ポリペプチドを使用して免疫学的に同定することができる。
【００６６】
上記ポリペプチド又はアミノ酸の配列は、当該配列中でコード化されるポリペプチド又はその一部分と同一のアミノ酸配列を有するポリペプチドを意味している。ここに、当該一部分は少なくとも２−５個のアミノ酸で構成され、より好ましくは少なくとも８−１０個のアミノ酸で構成され、さらに好ましくは少なくとも１１−１５個のアミノ酸で構成されている。或いは、当該ポリペプチド又はその一部分は、当該配合中においてコード化されたポリペプチドを使用して、免疫学的にこれを同定することが可能である。
【００６７】
組み替えポリペプチド又は誘導ポリペプチドは、必ずしも指定の核酸配列から翻訳されたものである必要は無い。当該配列は、どんな方法でもこれを調製することができる。その方法には、例えば化学合成法、又は組み替え系を発現させる方法などがある。さらに当該ポリペプチドは、その抗抗原性を増大させるような他のタンパク質又はポリペプチド、例えばアジュバントにこれを融合させることもできる。
【００６８】
上記のように、本発明の方法は、上記核酸分子又はベクターを宿主細胞に挿入し、当該ポリペプチド配列を発現させて問題のポリペプチドを当該宿主細胞によりコード化し、全ての長さのポリペプチド全てを製造する場合に適した方法である。当該核酸分子又はベクターを宿主細胞中に導入して形質変換宿主細胞を造る方法は、燐酸カルシウム トランスフェクション、ＤＥＡＥ−デキストラン仲介トランスフェクション、カチオン性脂質仲介トランスフェクション、電気泳動、形質導入、感染、その他の方法によりこれを実施することができる。このような方法については、Ｄａｖｉｓら， Ｂａｓｉｃ Ｍｅｔｈｏｄｓ ｉｎ Ｍｏｌｅｃｕｌａｒ Ｂｉｏｌｏｇｙ （１９８６）など、数多くの標準的試験室マニュアルの中に記載されている。
【００６９】
一旦形質変換された宿主細胞が得られたら、ｐＨ及び温度の生理適合条件下及び宿主細胞の成長を支える同化可能な炭素源、窒素源及び必須ミネラル源を含む適切な栄養媒体中において当該細胞を培養することができる。組み替えポリペプチドの製造培養条件は、当該宿主細胞の形質変換に使用するベクターの種類により左右される。例えば、ある種の発現ベクターは、遺伝子発現を開始させて組み替えポリペプチドを得るために、特定温度において細胞が成長するような調節域で構成され、またある発現ベクターでは、特定化学薬剤又は誘発剤を細胞成長媒体に添加することが必要である。
【００７０】
このようにして、本明細書で使用される「組み替えポリペプチドの製造条件」という語は、ある一定の培養条件に限定されるべきものではない。上記宿主細胞及び宿主ベクターへの使用に適した培養媒体及び培養条件については、当該技術分野において良く知られているところである。宿主細胞中において製造を行った後、当該ポリペプチドは、いくつかの方法によりこれを単離することができる。問題のポリペプチドを当該宿主細胞から遊離させるためには、当該細胞はこれを溶解又は破裂させる。
【００７１】
この溶解は、当該細胞を低張溶液と接触させ、リソチームなどの細胞壁攪乱酵素で処理し、超音波破壊し、高圧処理し、又は上記方法の組み合わせ処理を行うことによりこれを達成することができる。細菌細胞を攪乱して溶解させるその他方法に関しては、通常良く知られた方法を使用して、これを実施することができる。
【００７２】
当該攪乱操作に続き、錯体混合物から粒子を分離するに適したいずれかの方法で、当該ポリペプチドを細胞の残骸から分離することができる。当該ポリペプチドは、次にこれを良く知られている単離方法で精製することができる。精製に適した方法として、硫酸アンモニウム又はエタノールによる沈殿法、酸抽出法、電気泳動法、免疫吸着法、アニオン又はカチオン交換クロマトグラフ法、ホスフォセルロース クロマトグラフ法、疎水性相互作用クロマトグラフ法、アフィニティ クロマトグラフ法、免疫アフィニティ クロマトグラフ法、サイズ排除クロマトグラフ法、液体クロマトグラフ法 （ＬＣ）、高性能液体クロマトグラフ法 （ＨＰＬＣ）、高速高性能液体クロマトグラフ法 （ＦＰＬＣ）、ヒドロキシル アパタイト クロマトグラフ法及びレクチン クロマトグラフ法などを挙げることができるが、当該方法はこれらに限定されるものではない。
【００７３】
当該組み替えポリペプチド又は融合タンパク質は、検出能力を付与するために標識化及び非標識化し、ＰＡＰの検出又はＰＢＲの検出及び測定を目的とする診断用ツールとして、これを使用することができる。さらにこれらポリペプチドは、ＰＢＲの発現量を調節する方法でもこれを使用することができる。さらに、当該組み替えタンパク質は、ＰＢＲ上におけるその効果を経て、細胞の死滅及び細胞の増殖を抑える治療用薬剤として、これを使用することができる。
【００７４】
形質変換した宿主細胞は、宿主タンパク質又は化学誘導薬剤又は当該細胞と相互作用してＰＡＰの機能又は発現量を変化させ、これによりＰＢＲの機能、発現量又は局在化を調節する他のタンパク質など、ＰＡＰの発現又は機能に関する効果を経て、ＰＢＲの機能、発現量又は標的化を調節する薬剤の有効性分析に、これを使用することができる。
【００７５】
もう一つの態様において、本発明は、上記組み替えタンパク質（又はポリペプチド）に固有のモノクローン性又はポリクローン性抗体に関するものである。例えば上記ペプチドに対して、又は少なくとも１０個のアミノ酸、好ましくは１１−１５個のアミノ酸から成るその一部分に対して、一つの抗体を構築することができる。標準的な方法を使用する当該技術分野において通常の技量を持つ人であれば、本発明のタンパク質（又はポリペプチド）或いはそのユニーク部分に対するモノクローン抗体及びポリクローン抗体を構築することが可能である。抗体製造の材料及び方法については、当該技術分野において良く知られるところである（例えば、Ｇｏｄｉｎｇ， Ｍｏｎｏｃｌｏｎａｌ Ａｎｔｉｂｏｄｉｅｓ； Ｐｒｉｎｃｉｐｌｅｓ ａｎｄ Ｐｒａｃｔｉｃｅ， 第４章， １９８６を参照のこと）。
【００７６】
ＰＡＰの発現量については、いくつかの水準でこれを検出することができる。当技術分野で良く知られている標準的な方法を使用して、ＰＡＰ ＲＮＡの検出及び定量分析方法を設計することができる。これには、特にノーザン ハイブリッド化分析、原位置ハイブリッド化分析、及びＰＣＲ分析を含めることが可能である。核酸のハイブリッド化方法に関する一般的な説明については、例えば、Ｍａｎｉａｔｉｓ， Ｆｉｔｓｃｈ及びＳａｍｂｒｏｏｋ； Ｍｏｌｅｃｕｌａｒ Ｃｌｏｎｉｎｇ；  試験室用マニュアル （１９８２）、又は Ｃｕｒｒｅｎｔ Ｐｒｏｔｏｃｏｌｓ ｉｎ Ｍｏｌｅｃｕｌａｒ Ｂｉｏｌｏｇｙ， Ａｕｓｕｂｅｌ， Ｆ．Ｍ．ら編， Ｗｉｌｅｙ ＆ Ｓｏｎｓ， Ｉｎｃ．をご参照頂きたい。ＰＡＰ ＲＮＡ検出用ポリヌクレオチド プローブは、ＳＥＱ ＩＤ ＮＯ： １−９に示した配列から、これを設計することができる。
【００７７】
例えば、サンプルから単離したＲＮＡは、その表面をニトロセルロース膜などでコーティングし、これをノーザン ハイブリッド化試験用として調製することができる。例えば生検用サンプルを原位置ハイブリッド化する場合、当該組織サンプルは、当該技術分野において広く知られている標準的方法によるハイブリッド化を目的としてこれを調製し、ＰＡＰ ＲＮＡを特に認識するポリヌクレオチド配列により、これをハイブリッド化することが可能である。サンプル ＲＮＡと当該ポリヌクレオチドの間で形成されたハイブリッドの存在は、当該技術分野で知られている放射性化学測定又は免疫化学測定など、如何なる方法によってもこれを検出することができる。
【００７８】
当技術分野に精通した者なら、対応核酸配列と高度の重複部分を有するアミノ酸配列の広い領域に亘り検索できるような、可なり長いプローブの調製が好ましいことは、容易に理解できるところであろう。その他の場合においては、２セットのプローブを同時に使用し、それぞれのプローブで別々の遺伝子領域を探索できるようにすることが望ましい。使用するプローブの正確な長さはあまり重要ではない。代表的なプローブ配列の長さはヌクレオチド５００個以下であり、２５０個以下がより代表的であり、１００個以下であることも可能であり、さらに７５個以下であることも可能である。関連標的配列を区別できるような充分な差が存在するユニークなポリヌクレオチド領域を広く覆うことが必要であり、そのためにプローブ配列の長さを増やすことも必要であろう。この理由で、プローブの長さはヌクレオチド約１０−約１００個分であることが好ましく、約２０−約５０個分であることがさらに好ましい。
【００７９】
ポリメラーゼ連鎖反応 （ＰＣＲ）又は逆転写 ＰＣＲ （ＲＴ−ＰＣＲ）を使用してＰＡＰを検出するためのプライマーを設計するには、ＰＡＰのＤＮＡ配列を使用することができる。当該プライマーは、ＰＡＰの存在又は不存在の検出、或いは標準と比較することによりＰＡＰの定量を行うことを目的として、特にＰＡＰ ＲＮＡの逆転写により造られたＰＡＰ ｃＤＮＡとこれを結合させる。当該プライマーは、当該ＰＡＰ配列の領域に対して相同的又は相補的であり、その長さはヌクレオチド７−４０個分、好ましくは１０−１５個分、最も好ましくは１８−２５個分の範囲内において、どんな長さであっても良い。ＰＣＲ又はＰＴ−ＰＣＲ反応に必要な試薬及び比較対照については、当技術分野において良く知られるところである。次に、例えばゲル分画法、放射線化学法、及び免疫化学法により、増幅された産物についてＰＡＰ配列が存在するかしないかを分析する。必要とする細胞数が少なくて済むので、この方法は有利である。ＰＡＰが一旦検出されたら、同じ方法を用いて得られた正常細胞に関する結果と比較することにより、当該細胞がＰＡＰを過剰発現しているか又は過少発現しているかを決定することができる。例えば、ＰＡＰ７ ＲＮＡの濃度増加は、特にステロイド生成細胞中のＰＢＲ発現濃度と関係付けることができる。ここに、当該細胞のステロイド生成能力の増加とＰＢＲ及びＰＡＰ７ ＲＮＡ量の増加との間には相関関係が存在する。
【００８０】
他の態様において、本発明は、細胞中においてＰＡＰ ＲＮＡを検出することを目的とする診断用キットに関するものである。ここに当該キットは、原位置ハイブリッド化法又はノーザン分析法により細胞中でＰＡＰ ＲＮＡを検出するために、ＰＣＲ又はＰＴ−ＰＣＲ又はＰＡＰポリヌクレオチドによりＰＡＰを検出することを目的とする、一種類以上のＰＡＰオリゴヌクレオチド プライマー容器を有するパッケージ単位で構成される。また、いくつかのキットでは、希望する方法で使用する種々の試薬を入れた容器が含まれている。当該キットは、１種類以上の下記品目もこれを含むことができる。即ち、重合酵素、緩衝液、説明書、比較対照物質、検出用標識などである。当該キットは、本発明に従って当該方法を実施するために適切な割合で混合した試薬の容器も、これを含むことができる。試薬の容器には、主題の方法を実施する場合、一々計量する必要が無いように単位量の試薬を入れておくことが望ましい。
【００８１】
さらに他の態様において、本発明は、特定の生物学的サンプル中におけるＰＡＰの存在を確認し、その濃度を定量化する方法を提供するものである。サンプル中におけるＰＡＰ濃度を確認（又は定量）する場合、この目的のために種々の方法を使用することができる。
【００８２】
ＰＡＰを検出することを目的とする診断分析は、腫瘍又は正常組織から採取した細胞吸引物から得た組織断面並びに細胞を生検又は原位置分析することでこれを構成することができる。さらに分析は、器官、組織、細胞、尿、或いは血清又は血液、もしくはその他体液又はその抽出物について、これを実施することができる。
【００８３】
生検分析を行う場合、当該分析は、分析サンプルをＰＡＰリガンド（天然又は合成）又は抗体（多クローン性又は単クローン性）に接触させることで、これを構成することができる。当該リガンド又は抗体は、ＰＡＰ或いはＰＡＰの検出能力又はＰＡＰと、サンプル中に存在するＰＡＰリガンド又は添加抗体との間で形成された錯体の検出能力を有する抗血清を認識することができる。
【００８４】
ＰＡＰリガンド又は基体には、天然及び合成リガンド及び動物又は植物の抽出物など、天然発生源から誘導される誘導体の他に、例えばＰＢＲが含まれる。
【００８５】
細胞増殖又は細胞死の減少に関連して発生する癌などの病気の診断及び予後に使用する種々の標識及び標識方法を使用し、ＰＡＰリガンド又は抗ＰＡＰ抗体、或いはＰＡＰの検出能力を有するリガンド及び抗体のフラグメントを標識化することができる。本発明で使用し得る標識の例としては、酵素標識、放射性同位元素標識、非放射性同位元素標識、及び化学ルミネセンス標識などが存在する。但し、当該標識例は、これらの例に限定されるものではない。
【００８６】
適切な酵素標識の例として、マレート デヒドロジェナーゼ、スタフィロコッカル ヌクレアーゼ、デルタ−５−ステロイド イソメラーゼ、酵母菌−アルコール デヒドロジェナーゼ、燐酸アルファ−グリセリン デヒドロジェナーゼ、燐酸トリオース イソメラーゼ、ペルオキシダーゼ、アルカリ性ホスファターゼ、アスパラギナーゼ、グルコース オキシダーゼ、ベータ−ガラクトシダーゼ、リボヌクレアーゼ、ウレアーゼ、カタラーゼ、グルコース−６−ホスフェート デヒドロジェナーゼ、グルコアミラーゼ、アセチルコリン エステラーゼなどが存在する。
【００８７】
適切な放射性同位元素標識の例としては、３Ｈ、１１１Ｉｎ、１２５Ｉ、３２Ｐ、３５Ｓ、１４Ｃ、５７Ｔｏ、５８Ｃｏ、５９Ｆｅ、７５Ｓｅ、１５２Ｅｕ、９０Ｙ、６７Ｃｕ、２１Ｃｉ、２１１Ａｔ、２１２Ｐｂ、４７Ｓｃ、１０９Ｐｄ、１１Ｃ、１５Ｆ、１２３Ｉなどが存在する。
【００８８】
適切な非放射性同位元素標識の例としては、２５７Ｇｄ、５５Ｍｎ、１６３Ｄｙ、６２Ｔｒ、４６Ｆｅなどが存在する。
【００８９】
適切な蛍光標識の例としては、１５２Ｅｕ標識、フルオレセイン標識、イソチオシアネート標識、ローダミン標識、フィコエリスリン標識、フィコジアニン標識、アロフィコジアニン標識、フルオレサミン標識などが存在する。
【００９０】
化学発光標識の例としては、ルミナール標識、イソルミナール標識、芳香族アクリジニウム エステル標識、イミダゾール標識、アクリジニウム塩標識、蓚酸エステル標識、ルシフェリン標識、ルシフェラーゼ標識などが存在する。
【００９１】
当技術分野に精通した者であれば、本発明に使用し得る上記以外の適切な標識に関する知識を持ち合わせているものと考えられる。これら標識とリガンドとの結合並びに抗体又はそのフラグメントとの結合は、当技術分野において標準的な技術を身に付けた者であれば、一般に知られている標準的技法を使用することにより、これを達成することができる。これに関する代表的な技法については、Ｋｅｎｎｅｄｙ， Ｊ．Ｈ．ら， １９７６ （Ｃｌｉｎ． Ｃｈｉｍ． Ａｃｔａ ７０， １−３１）、及びＳｃｈｕｒｓ， Ａ．Ｈ．Ｗ．Ｍ．ら， １９７７ （Ｃｌｉｎ． Ｃｈｉｍ． Ａｃｔａ ８１， １−４０）により記載されている。後者の文献の中で述べられているカップリング技法は、グルタール アルデヒド法、過ヨウ素酸塩法、ジマレイミド法、及びその他方法である。これらの方法に関しては、全て本明細書中に引用した。
【００９２】
本発明における抗体（又は抗体のフラグメント）の検出方法は、担体を使用することにより、これを改良することができる。良く知られた担体にはガラス、ポリスチレン、ポリプロピレン、ポリエチレン、デキストラン、ナイロン、アミラス、天然及び修飾セルロース、ポリアクリルアミド、アガロース、及びマグネタイトなどがある。本発明の目的において、担体の性格は、ある程度可溶性であっても又は不溶性であっても良い。支持物質は、カップリング分子がＰＡＰに結合し得るようなものであれば、事実上如何なる構造のものであっても良い。
従って、当該支持物質の構造形状は、ビーズのように球状であっても良く、或いは試験管内面又はロッド外面のように円筒状であっても良い。或いは、当該表面はシート、試験片などのように平坦であっても良い。当技術分野に精通した人であれば、その他モノクローン性抗体を結合させる適切な担体が何であるべきかに気づき、或いは日常実験によりこれらを確認することができるであろう。
【００９３】
ＰＡＰの存在を定量的又は定性的に検出する目的で、リガンド又は抗体或いは上記ＰＡＰの抗体又はリガンドのフラグメントを使用することができる。このような検出操作は、種々の免疫分析法などを使用することにより、これを行うことができる。当技術分野で良く知られた標準的な方法を使用し、（固形支持体）表面、例えばミクロ滴定プレート又は膜（例えばニトロセルロース膜）、ＰＡＰ又はその一部に固有の抗体をコーティングし、これをＰＡＰに起因する病気の存在が疑われる人から採取したサンプルと接触させることにより、その診断分析方法を組み立てることができる。
【００９４】
このようにしてサンプル中のＰＡＰと当該ＰＡＰに固有の抗体との間で生じた錯体の存在は、当技術分野において公知の検出方法、例えば蛍光抗体分光分析法又は比色法などのいずれかにより、これを検出することができる。放射線免疫分析法については、Ｗｏｒｋ， Ｔ．Ｓ．ら著「分子生物学における試験室的技法及び生化学について」（Ｎｏｒｔｈ Ｈｏｌｌａｎｄ Ｐｕｂｌｉｓｈｉｎｇ Ｃｏｍｐａｎｙ， Ｎ．Ｙ． （１９７８）の中で詳しく説明されている。この文献は、本明細書にも引用した。サンドイッチ分析法については、Ｗｉｄｅが「放射線免疫分析法」（Ｋｉｒｋｈａｍ及びＨｕｎｔｅｒ； Ｅ． ＆ Ｓ． Ｌｉｖｉｎｇｓｔｏｎｅ， Ｅｄｉｎｂｕｒｇｈ， １９７０）の第１９９−２０６頁にその解説を行っている。
【００９５】
本発明の診断方法によれば、胆石、アテローム性動脈硬化症、ニーマンピック病、シトステロール血症、ジストロフィー、腫瘍増殖（腫瘍形成）、スナイダー皮質結晶性ジストロフィーなど、ＰＢＲが係わる病気を予測することができる。脳疾患には、コレステロール
代謝及びアルツハイマー病、テルリウム毒性、スミス−レルミ−オピッツ症候群、髄鞘形成、進行性異常及び脱髄、チャーコット−マリー歯病、ペリツース−メルツバッハー病、多重性硬化症、ＳＬＡなどが含まれる。或いは、当該方法及び組成物は予防治療、又は予防治療に有効な化合物の検索に役立つ可能性もある。
【００９６】
当該組み替えタンパク質は、ＰＡＰ活性の抑制剤又は活性化剤の同定にこれを使用することが可能である。この方法により、ＰＢＲ活性調節能力のある薬剤を同定することもできる。下記の例に記載した分析方法を使用することにより、或いは例えば薬剤をＰＡＰを発現している細胞内へ導入してＰＡＰ ＲＮＡ又はタンパク質の増減を検出することにより、ＰＡＰ活性を減少又は除去し或いはこれを増大させる天然又は合成薬剤を発見することができる。抑制剤又は活性化剤の作用機構に関する知識は、ＰＡＰの活性増減が検出される限り必要ではない。抑制剤には、ＰＢＲのようにＰＡＰ基質に結合するか又はこれを封鎖するような薬剤、又はその共因子、又はそれ自体が直接的に例えば非可逆的にＰＡＰに結合し、又は間接的に例えば競争化合物に結合するような薬剤をその基質に結合したＰＡＰと結合させ、このようにして抑制効果を発揮するような薬剤をこれに含めることができる。
【００９７】
活性化剤には、ＰＡＰ固有の機能に対して必要な共因子、或いは当該ＰＡＰとＰＢＲ又は特定のＰＡＰ基質との結合又は放出の転換速度を速めるような薬剤を、これに含めることもできる。本発明関連の薬剤により、ＰＡＰの部分抑制又は完全抑制を達成し、或いはＰＡＰを種々の度合いで活性化することができる。これにより、ＰＢＲの機能が調節されることもあれば、されないこともある。ストレス、癌、神経退行性疾患即ち発作、アルツハイマー病、進行性疾患、不妊症、及び免疫不全などの治療又はその改善に、ＰＡＰ活性抑制剤又はその活性化剤を使用することができる。
【００９８】
（ヒト又は動物の体内において）ＰＡＰ濃度を低下させ或いはＰＡＰ活性を低下又は抑制するような薬剤は、ＰＡＰ濃度の上昇に起因する病気の治療にこれを使用することができる。これと同様に、ＰＡＰ濃度を上昇させ又はＰＡＰ活性を増大させるような薬剤は、ＰＡＰ濃度の低下に起因する病気の治療にこれを使用することができる。ＰＡＰ濃度の増減は、ＰＡＰ濃度が正常細胞内におけるＰＡＰ濃度の約２−３倍又は約１／２−１／３になったとき、或いはその約１０−１００倍又は１／１０−１／１００になった場合にその判断が行われる。
【００９９】
ＰＡＰ ＲＮＡを減少させるような薬剤には、ＰＡＰ ＲＮＡの消化能力を有する１種類以上のリボチーム、或いはＰＡＰの翻訳を抑制又は減少させ、その結果ＰＡＰ濃度を低下させるような、ＰＡＰ ＲＮＡへハイブリッド化する能力を有するアンチセンス オリゴヌクレオチドが含まれる。但し、当該薬剤の種類がこれだけに限定されるものではない。これらの薬剤は、ＤＮＡ、即ちウィルス性外皮レポーター タンパク質を含むプロテオリポソーム中に捕捉されたＤＮＡ （Ｋａｎｏｄａ， Ｙ．ら， １９８９， Ｓｃｉｅｎｃｅ ２４３， ３７５） として、或いは当該ＤＮＡ又はＲＮＡが造られるように標的細胞中に発現し得るベクターの一部として、これを投与することが可能である。
【０１００】
特定の細胞種中に発現するベクターについては、当該技術分野において広く知られているところである。例えば乳腺細胞に関しては、Ｆｕｒｔｈ （１９９７） （Ｊ． Ｍａｍｍａｒｙ Ｇｌａｎｄ Ｂｉｏｌ． Ｎｅｏｐｌ． ２， ３７３）が、乳腺中における遺伝子発現の条件付き制御の例について記述しているので、これをご参照頂きたい。或いは、当該ＤＮＡは、これを担体とともに注入することができる。担体としてはシトキン、例えばインターロイキン２又はポリシン糖タンパク質担体などのタンパク質を使用することができる。このような担体タンパク質及びベクター並びにこれらの使用方法については、当技術分野において広く知られているところである。さらに、当該ＤＮＡはこれを小さな金のビーズ上にコーティングし、例えば遺伝子ガンを用いて当該ビーズを皮膚の中へ導入することもできる （Ｕｌｍｅｒ， Ｊ．Ｂ．ら， １９９３， Ｓｃｉｅｎｃｅ ２５９， １７４５）。
【０１０１】
もしくは抗体、或いは拮抗剤などのＰＡＰ活性を低下又は抑制（ＰＡＰの発現量、製造量又は活性のいずれかを低下又は抑制）する能力を有する化合物は、ＰＡＰを減少又は抑制するような薬剤が造られるように、単離された事実上の精製タンパク質として、或いは標的細胞中で発現能力を有する発現ベクターの一部として、これを投与することができる。同様に作動薬など、ＰＡＰ活性を増加又は活性化（即ちＰＡＰの発現量、製造量、又は活性のいずれかを増加又は活性化）する能力を有するような化合物は、ＰＡＰの効果を高め又はこれを活性化するような薬剤が造られるように、単離され、事実上精製されたタンパク質として、又は標的細胞中で発現能力を有する発現ベクターの一部として、これを投与することができる。
【０１０２】
さらに、タンパク質の安定性に影響を与える因子、及び安定性に影響を与える種々のイオン〔即ちＣａ＋２（Ｃａｌｖｏ， Ｄ．Ｊ．及びＭｅｄｉｎａ， Ｊ．Ｈ．， １９９３； Ｊ． Ｒｅｃｅｐｔ． Ｒｅｓ． １３， ９７５−９８７）〕、或いはハロゲン化物又はＤＩＤＳ（４，４’−ジイソチオシアノスチルベン−２，２’−ジスルホン酸）などのアニオン経路ブロッカーなどのアニオン、イオン輸送ブロッカー （Ｓｋｏｌｎｉｃｋ， Ｐ．， １９８７， Ｅｕｒ． Ｊ． Ｐｈａｒｍａｃｏｌ． １３３， ２０５−２１４）、或いは例えばリン脂質 ホスファチジルセリン及びホスファチジルイノシトールのような脂質などＰＢＲの安定性に影響を与えるような因子を投与して、ＰＡＰ及びＰＢＲの発現量及び機能を調節することもできる。ここにリン脂質の存在は、受容体活性のために必要である （Ｍｏｙｎａｇｈ， Ｐ．Ｎ．及びＷｉｌｌｉａｍｓ， Ｄ．Ｃ．， １９９２， Ｂｉｏｃｈｅｍ． Ｐｈａｒｍａｃｏｌ． ４３， １９３９−１９４５）。
【０１０３】
これらの処方物は、標準的経路によりこれを投与することができる。一般に、当該処方物は、局所、皮内、腹腔内、経口、直腸、又は腸管外（例えば静脈内、皮下、又は筋肉内）経路によりこれを投与する。さらに、ＰＡＰ抑制又はＰＡＰ活性化化合物は、これを生分解性ポリマー中に組み込み、例えば腫瘍の存在部位などの希望薬剤送入部位の近傍にこれを埋め込む。又は、ＰＡＰ抑制又はＰＡＰ活性化化合物がゆっくりと全身に放出されるような埋め込み方をしても良い。
【０１０４】
当該生分解性ポリマー及びその使用方法に関しては、例えばＢｒｅｍら， １９９１， Ｊ． Ｎｅｕｒｏｓｕｒｇ． ７４， ４４１−４４６の中に詳細な記述がある。これらの化合物は、ＰＡＰの効果を充分に抑制できるような量を患者に投与するものとする。同様に、ＰＡＰの発現、製造、安定性又は機能に対して正又は負の効果を与える能力を有する薬剤は、希望する効果を充分に発揮できるような量を患者に投与するものとする。当該薬剤の投与量、投与経路などにより、このような反応に対して充分な影響が得られれば、その量はＰＡＰの抑制又は誘導を達成するに充分であったと考えることができる。
【０１０５】
本発明に係わるＰＡＰはＰＢＲと会合する能力を有し、当該ＰＢＲが適切な標的、機能、発現、又は安定性を有する場合において、始めてその役割を果たすことができる。従って、ＰＢＲの機能を抑制し、又はこれを低下させ、又はＰＢＲの存在位置を変える方法には、ＰＡＰをその受容体から解離させる方法が含まれる。これらのＰＡＰがＰＢＲと会合しているＰＢＲ上のサイトをブロックするような薬剤を使用すれば、このことが可能になる。或いは、ＰＢＲとの会合に関与しているＰＡＰ上のサイトをブロックしても良い。
【０１０６】
このような薬剤として、例えばこのようなサイトを認識し、或いはこれらサイトの形態を変化させてＰＡＰとＰＢＲの会合を抑制又は除去するような、抗体又は拮抗剤が存在する。（ヒト又は動物の体内において）ＰＢＲ濃度を減少させ、或いはＰＢＲの活性を低下させ又は抑制するような薬剤は、ＰＢＲ濃度が高まることにより発生するような病気の治療に、これを使用することができる。このような病気には、転移性癌（例えば乳癌）、又は細胞増殖速度の増大に起因する病気、又は細胞中へのコレステロール輸送速度の増大に起因する病気などがある。腫瘍細胞中のＰＢＲの濃度が正常細胞中の濃度の約２−３倍、特に約１０−１００倍に増加した場合、ＰＢＲの濃度増加があったものと判断される。
【０１０７】
抗体或いはＰＢＲとＰＡＰの会合度を低下させ又はこれを抑制する能力を有する化合物は、単離され事実上精製されたタンパク質として、或いは当該ＰＢＲ−ＰＡＰの会合を減少又は抑制する薬剤が造られるように標的細胞中で発現能力を有する発現ベクターの一部として、これを投与することができる。これらの処方物は、標準的経路によりこれを投与することができる。一般に、当該処方物は、局所、皮内、腹腔内、経口、直腸、又は腸管外（例えば静脈内、皮下、又は筋肉内）経路によりこれを投与することができる。さらにこれらの化合物は、これを生分解性ポリマー中に組み込み、これを薬剤の希望送入サイト、例えば腫瘍が存在するサイトの近傍に埋め込むか、又は当該化合物がゆっくりと全身に放出されるようにこれを埋め込む。当該生分解性ポリマー及びその使用方法に関しては、例えばＢｒｅｍら， １９９１， Ｊ． Ｎｅｕｒｏｓｕｒｇ． ７４， ４４１−４４６の中に詳細な記述がある。
【０１０８】
これらの化合物は、ＰＢＲ／ＰＡＰの会合を充分に抑制できるような量を患者に投与するものとする。
【０１０９】
細胞増殖におけるＰＢＲの機能に沿って、ＰＡＰとＰＢＲの会合度を増大させることによりＰＢＲの機能を刺激するような薬剤は、ＰＢＲの減少又は細胞増殖速度の低下に起因する病気の治療に、これを使用することができる。ここに、ＰＢＲはこのような増殖（例えば進行性遅滞）を増大させる能力を有している。ＰＢＲは、コレステロールの輸送に関与することも分かっており、従って、ＰＢＲ及び会合ＰＡＰの機能又は安定性を増大させるような薬剤は、細胞中へのコレステロール輸送速度を増大させる目的でこれを使用することができる。
【０１１０】
コレステロールの輸送量が不足することに起因する病気には、リポイド副腎過形成などがあり、ミエリン及び髄鞘形成などコレステロールが必要な化合物生産量を増加させる必要があるような病気には、アルツハイマー病、脊髄障害、及び脳神経障害〔Ｓｎｉｐｅｓ， Ｇ．及びＳｕｔｅｒ， Ｕ． （１９９７）； 「コレステロールとミエリン」； Ｓｕｂｃｅｌｌｕｌａｒ Ｂｉｏｃｈｅｍｉｓｔｒｙ， Ｒｏｂｅｒｔ Ｂｉｔｔｍａｎ編， 第２８巻， ｐｐ．１７３−２０４， Ｐｌｅｎｕｍ Ｐｒｅｓｓ， ニューヨーク〕などがある。
【０１１１】
発現量、機能、標的細胞、或いは上記したＰＡＰ又はＰＢＲの会合を調節するような薬剤を患者に投与する場合、その投与量は患者の年齢、体重、身長、性、総合的医療状態、過去の病歴などの要因により左右される。一般に、患者には約１ ｐｇ／ｋｇ−１０ ｍｇ／ｋｇ（患者の体重）の薬剤を投与することが望ましい。但し、これより少ない量又は多い量を投与する場合もあり得る。
【０１１２】
ある組成物の投与がその患者にとって耐えられるものである場合、当該薬剤を「薬理学的に使用可能である」と言い、その投与量が生理的に有意である場合、このような投与量を「治療有効量」と呼ぶ。ある薬剤を患者に投与し、これにより当該患者に検出し得るような変化が現れた場合、その薬剤は生理的に有意であると言う。
【０１１３】
本発明の化合物は、医薬として有用な組成物を調製するために、既知の方法に従い、これらの物質又はその機能的誘導体を医薬として使用可能なベヒクルに混合し、これを処方することができる。適切なベヒクル及びその処方（例えばヒト血清アルブミンなど、その他ヒトのタンパク質も含む）については、例えばＲｅｍｉｎｇｔｏｎ’ｓ Ｐｈａｒｍａｃｅｕｔｉｃａｌ Ｓｃｉｅｎｃｅｓ 第１６版， Ｏｓｏｌ， Ａ．編， Ｍａｃｋ Ｅａｓｔｏｎ ＰＡ． （１９８０）の中にその記述がある。有効な投与に適した医薬として使用し得る組成物を処方するために、当該組成物に有効量の上記化合物を適切量の担体ベヒクルとともに添加することができる。
【０１１４】
その他薬学的な方法として、作用の永続性を制御するような方法も併せて使用することができる。当該化合物と錯体を形成し、又はこれを吸収するようなポリマーを使用することにより、薬剤の放出速度を制御することができる。被制御送入は、適切な高分子物質（例えばポリエステル、ポリアミノ酸、ポリビニルピロリドン、エチレン−酢酸ビニル共重合体、メチルセルロース、カルボキシメチルセルロース、又は硫酸プロタミン）を選択し、当該高分子物質の濃度及びその封入方法を選択して被制御放出を行うことにより、これを実施することができる。被制御放出製剤の使用により当該薬剤作用の永続性を制御する方法として、この他にポリエステル、ポリアミノ酸、ヒドロゲル、ポリ乳酸又はエチレン−酢酸ビニル共重合体などのポリマー物質の粒子中に、本発明の化合物を組み入れる方法がある。
【０１１５】
或いは、これらの薬剤をポリマー粒子中に組み込む代わりに、先ずミクロカプセルを調製してこれらの物質をその中に捕捉することもできる。例えば、界面重合を行ってこれらのミクロカプセルを調製することもできる。或いは、ヒドロキシメチルセルロース又はゼラチン製のミクロカプセル及びポリメタクリル酸メチル製ミクロカプセルをそれぞれ調製して使用する方法もある。或いは、コロイド状の薬剤送入システム（例えばリポソーム、アルブミンのミクロスフェア、ミクロエマルション、ナノ粒子、及びナノカプセル又はマクロエマルション）を使用することもできる。このような技法が、Ｒｅｍｉｎｇｔｏｎ’ｓ Ｐｈａｒｍａｃｅｕｔｉｃａｌ Ｓｃｉｅｎｃｅｓ （１９８０）の中で開示されている。
【０１１６】
本発明は、上記の診断又は治療に使用するキットを提供するものでもある。本発明の当該側面に基づくキットは、瓶、チューブ、アンプル、ボトルなど、１個以上の容器でこれを構成し、これら容器の内容物は本発明の１種類以上の組成物でこれを構成することができる。
【０１１７】
本発明のキットは、１種類以上の下記構成成分、本発明における１種類以上の化合物、及び１種類以上の賦形剤、希釈剤又はアジュバントでこれを構成することができる。
【０１１８】
本明細書に記した方法及びその応用に適したその他の修飾及び対応方法については、当技術分野における通常技量の持ち主にとっては明らかであり、本発明又はその態様の範囲から逸脱すること無くこれを実施できることは、直ちに理解し得るところであろう。本発明に関して既にその詳細を説明したが、さらに下記の例を用いて同じ内容を具体的に分かりやすく説明する。但し、これらの例は説明を唯一の目的として使用するものであり、本発明の範囲に限定を加えることがその目的ではない。
【０１１９】
下記の例においては、下記の材料及び方法を使用する。    （材料及び方法）
（材料）
［α−３２Ｐ］ｄＣＴＰ（比活性：３０００ Ｃｉ／ｍｍｏｌ）、
［１，２，６，７−Ｎ−３Ｈ］プロゲステロン（比活性：９４．１ Ｃｉ／ｍｍｏｌ）及び
３Ｈ−１−（２−クロルフェニル）−Ｎ−メチル−Ｎ−（１−メチル−プロピル）−３−イソキノリンカルボキシアミド （ＰＫ１１１９５；比活性 ８６．９ Ｃｉ／ｍｍｏｌ）
上記材料は、ＮＥＮ Ｌｉｆｅ Ｓｃｉｅｎｃｅ Ｐｒｏｄｕｃｔｓ社（マサチューセッツ州ボストン）からこれを入手した。
ＰＫ１１１９５は、Ｒｅｓｅａｒｃｈ Ｂｉｏｃｈｅｍｉｃａｌｓ社（マサチューセッツ州ナティック）からこれを入手した。
ニトロセルロース （０．４５ μｍ）は、Ｈｏｅｆｆｅｒ Ｓｃｉｅｎｔｉｆｉｃ社（カリホルニア州サンフランシスコ）からこれを入手した。
２２Ｒ ヒドロキシコレステロールは、Ｓｉｇｍａ社から購入した。
制限酵素類はＳｔｒａｔａｇｅｎｅ社（カリホルニア州ラホーヤ）及びＮｅｗ Ｅｎｇｌａｎｄ Ｂｉｏｌａｂｓ社（マサチューセッツ州ベバリー）から購入した。
細胞培養液は、Ｌｉｆｅ Ｔｅｃｈｎｏｌｏｇｉｅｓ社（ニューヨーク州グランドアイランド）から購入した。
組織培養用プラスチックウエアは、Ｃｏｒｎｉｎｇ社（ニューヨーク州コーニング）から購入した。
電気泳動用の試薬及び材料は、ＢｉｏＲａｄ社から供給を受けた。
その他全薬品は分析グレードであり、種々の商業的供給源からこれらを入手した。
【０１２０】
（菌株及び媒体）
Ｓａｃｃｈａｒｏｍｙｃｅｓ ｃｅｒｅｖｉｓｉａｅレポーター菌株 ＨＦ７ｃの遺伝子型はＭＡＴａ、ｕｒａ３−５２、ｈｉｓ３−２００、ｌｙｓ２−８０１、ａｄｅ２−１０１、ｔｒｐｌ−９０１、ｌｅｕ２−３、１１２、ｇａｌ４−５４２、ｇａｌ８０−５３８、ＬＹＳ２：：ＧＡＬ−ＨＩＳ３、ＵＲＡ３：：（ＧＡＬ４ １７−ｍｅｒｓ）３−ＣＹＣ１−ｌａｃＺ（カリホルニア州パロアルト ＣＬＯＮＴＥＣＨ社）である。酵母菌株は標準液体ＹＰＤ媒体中又は最小ＳＤ合成媒体（適切なアミノ酸を補足；カリホルニア州パロアルト ＣＬＯＮＴＥＣＨ社）中、３０ ℃で生育させた。
【０１２１】
（プラスミド及びその構造）
マウスのＰＢＲ ｃＤＮＡコード化配列をｐＧＢＴ９（カリホルニア州パロアルト ＣＬＯＮＴＥＣＨ社）の中へＥｃｏＲ Ｉサイト及びＢａｍＨ Ｉサイトでサブクローン化 （ｐＧＢＴ−ＰＢＲ）した。融合サイトの配列については、これを決定して検証した。ＰＢＲリガンド結合の分析を行い、機能的融合ＰＢＲタンパク質（酵母菌中で発現）について検証を行った。マウス精巣ｃＤＮＡライブラリを、ｐＧＡＤ１０ ［ＬＥＵ２、ＧＡＬ４ （７６８−８８１）］（カリホルニア州パロアルト ＣＬＯＮＴＥＣＨ社）中で構築した。形質転換株をＬＢ−寒天−アンピシリン上で生育させ、プラスミドＤＮＡをＱＩＡＧＥＮ Ｐｌａｓｍｉｄ Ｇｉｇａキット（カリホルニア州バレンシア ＱＩＡＧＥＮ社）を使用して精製することにより、予め作成したライブラリを増幅した。トランスフェクションの実験において、ＰＡＰ７部分配列（１９２個のアミノ酸Ｃ末端配列を含む）をＰＳＶｚｅｏベクター（カリホルニア州カールスバド Ｉｎｖｉｔｒｏｇｅｎ社）のＥｃｏＲＩ及びＢａｍＨ１サイトに挿入した。
【０１２２】
（酵母菌二ハイブリッド検索）
Ｃｌｏｎｔｅｃｈ ＭＡＴＣＨＭＡＫＥＲ 二ハイブリッドシステムを本研究に適用した（説明書中で詳述）。これを簡単に説明すると、酵母菌レポーターの宿主株 ＨＦ７ｃをｐＧＢＴ−ＰＢＲ及びマウス精巣ｃＤＮＡとともにｐＧＡＤ１０プラスミド中で酢酸リチウム高能率法を使用して同時形質変換した（Ｇｉｅｔｚ， Ｄ．ら， １９９２， Ｎｕｃｌｅｉｃ Ａｃｉｄｓ Ｒｅｓ． ２０， １４２５）。コロニー リフト フィルター分析法によりＨＩＳ陽性クローンをさらに選別し、そのβガラクトシダーゼ活性を求めた。プラスミドＤＮＡを酵母菌細胞からＥｓｃｈｅｒｉｃｈｉａ ｃｏｌｉ ＤＨ５？中へ救済した。プラスミドｐＧＢＴ−ＰＢＲを用いてプラスミドを酵母菌 ＨＦ７ｃ細胞中へ再形質変換し、ヒスチジン原栄養株及びβガラクトシダーゼ活性を試験した（クロンテック社マニュアルによる）。陽性クローンから採取したｃＤＮＡ挿入物について、その配列を決定した。５’及び３’ＲＡＣＥキット（カリホルニア州パロアルト ＣＬＯＮＴＥＣＨ社）を使用して、完全長のＰＡＰ７ ｃＤＮＡを得た。
【０１２３】
（配列分析）
ＡＢＩ ＰＲＩＳＭＴＭ染料ターミネータ サイクル配列決定反応キット（カリホルニア州フォスター市 ＰＥ Ｂｉｏｓｙｓｔｅｍｓ社）及びＡｐｐｌｉｅｄ Ｂｉｏｓｙｓｔｅｍｓ配列決定キット（カリホルニア州フォスター市 Ａｐｐｌｉｅｄ Ｂｉｏｓｙｓｔｅｍｓ社）を使用して、Ｔｈｅ Ｌｏｍｂａｒｄｉ Ｃａｎｃｅｒ Ｃｅｎｔｅｒ Ｓｅｑｕｅｎｃｉｎｇ Ｃｏｒｅ Ｆａｃｉｌｉｔｙ（ジョージタウン大学）において配列決定を行った。ＧｅｎｅＢａｎｋＴＭＤａｔａｂａｓｅに対してＥｎｔｒｅｚ ａｎｄ ＢＬＡＳＴプログラムを使用し、ＤＮＡ配列の分析を行った。
【０１２４】
（細胞培養液の一時的トランスフェクション）
前に報告した方法 （Ｐａｐａｄｏｐｏｕｌｏｓ， Ｖ．ら， １９９０， Ｊ． Ｂｉｏｌ． Ｃｈｅｍ． ２６５， ３７７２−３７７９）により、ウマの血清１５％を含有する修飾ウェイマスＭＢ７５２／１媒体中でＭＡ−１０細胞を生育させた。マウスＣ６神経膠腫及びマウスＹ１副腎皮質細胞を、それぞれＤＭＥＭ及びＤＭＥＭ Ｆ１２中で、１０％胎児ウシ血清とともに培養した。電気泳動法 （Ｅｌ Ｈｅｆｎａｗｙ， Ｔ．ら， １９９６， Ｍｏｌ． Ｃｅｌｌ Ｅｎｄｏｃｒｉｎｏｌ． １１９， ２０７−２１７）によりＭＡ１０細胞を一時的にトランスフェクトした。各ジーンパルサー キュヴェット（空隙 ０．４ ｃｍ， カリホルニア州ハーキュレス ＢｉｏＲａｄ社）には、抗生物質を含まない３５０ μｌの完全ウェイマス成長媒体（上記参照）中に８ ｘ １０６個の細胞、及び５０ μｌの０．１ ｘ ＴＥ中に３０ μｇのプラスミドＤＮＡが含まれていた。電気泳動用キュヴェット中の細胞に、ジーンパルサー（カリホルニア州ハーキュレス ＢｉｏＲａｄ社）から発生させた電圧３３０ Ｖ、静電容量９５０ μＦｄの電気ショックを与えた。直ちに当該細胞を氷上で１０分間保持し、その後これを９６井のプレート上に移した。
【０１２５】
（放射性リガンドの結合分析）
我々が前に報告した方法 （Ｐａｐａｄｏｐｏｕｌｏｓ， Ｖ．ら， １９９０， ｓｕｐｒａ； Ｇａｒｎｉｅｒ， Ｍ．ら， １９９４； Ｍｏｌｅｃｕｌａｒ Ｐｈａｒｍａｃｏｌｏｇｙ ４５， ２０１−２１１）により、３Ｈ−１−（２−クロルフェニル）−Ｎ−メチル−Ｎ−（１−メチル−プロピル）−３−イソキノリンカルボキシアミド （ＰＫ１１１９５，マサチューセッツ州ボストン ＮＥＮ社）の結合試験を実施した。ＬＩＧＡＮＤプログラム （Ｍｕｎｓｏｎ， Ｐ．Ｊ．及びＲｏｄｂａｒｄ， Ｄ．， １９８０； Ａｎａｌ Ｂｉｏｃｈｅｍ． １０７， ２２０−２３９）を使用して、データのスカチャード プロット分析を行うことにより、解離定数 （Ｋｄ）及び結合サイト数 （Ｂｍａｘ）を決定した。
【０１２６】
〔ＲＮＡ（ノーザン）ブロット分析〕
酸グアニジウム チオシアネート−フェノール−クロロホルム抽出法により、ＲＮＡ ＳＴＡＴ６０試薬（テキサス州フレンズウッド Ｔｅｌ−Ｔｅｓｔ社）を使用して、全組織及び細胞ＲＮＡを単離した。変性電気泳動法によりＲＮＡを分離し、これをＮｙｔｒａｎ膜（ニューハンプシャー州キーン Ｓｃｈｌｅｉｃｈｅｒ ＆ Ｓｃｈｕｅｌｌ社）に移した。ランダムプライミング（インジアナ州インジアナポリス Ｂｏｅｈｒｉｎｇｅｒ Ｍａｎｎｈｅｉｍ社）から３２Ｐを発生させ、この３２ＰでＰＡＰ７ ｃＤＮＡプローブを標識化し、当該ＰＡＰ７ ｃＤＮＡ プローブで当該ＲＮＡブロットをハイブリッド化した。Ｋｏｄａｋ Ｘ−Ｏｍａｔ ＡＲフィルム（ニューヨーク州ロチェスター Ｅａｓｔｍａｎ Ｋｏｄａｋ社）を−８０ ℃で一晩当該ブロットに暴露することにより、オートラジオグラフィーを実施した。
【０１２７】
（ステロイド生合成）
９６井のプレートを使用し、ＭＡ−１０細胞を密度 ２．５ ｘ １０４／井で一晩プレート培養した。濃度５０ ｎｇ／ｍｌのｈＣＧを使用し、０．２ ｍｌ／井の血清を含まない媒体中で当該細胞に２時間刺激を与えた。当該培養媒体を集め、ＲＴＡによりプロゲステロンの生成試験を行った。当該分析は、メーカー推奨条件に従い、抗プロゲステロン抗血清（カリホルニア州コスタメザ ＩＣＮ社）を使用してこれを実施した。当該プロゲステロン生成量は、各井中のタンパク質量を調節することにより、これを正規化した。Ｗａｌｌａｃ社（メリーランド州ガイタースバーグ ＥＧ＆Ｇ Ｗａｌｌａｃ社）が提供したソフトウェアを使用し、放射能免疫分析のデータを解析した。
【０１２８】
（抗体発生及びウェスタン分析）
ＰＡＰ７タンパク質のペプチドＳＳＤＥＥＥＥＥＥＥＮＶＴＣＥＥＫＡＫＫＮＡＮＫＰ （ＳＥＱ ＩＤ ＮＯ： １１）で系列免疫化することによりウサギ抗ＰＡＰ７抗体を調製し、これをＫＬＨにカップリングした。アガロース（テキサス州モントゴメリー Ｂｅｔｈｙｌ Ｌａｂｏｒａｔｏｒｉｅｓ社）上に固定したこれと同じペプチドを含むアフィニティ樹脂により、ＰＡＰ７抗体を精製した。ＭＡ１０細胞をサンプル緩衝液〔２５ ｍＭ トリスＨＣｌ （ｐＨ ６．８）， １％ ＳＤＳ， ５％βメルカプトエタノール， １ ｍＭ ＥＤＴＡ， ４％ グリセリン， 及び０．０１％ ブロムフェノール ブルー〕中へ可溶化し、５分間煮沸し、１５％ ＳＤＳ−ＰＡＧＥミニゲル（カリホルニア州リッチモンド ＢｉｏＲａｄ社； ＭｉｎｉＰｒｏｔｅｉｎ ＩＩ Ｓｙｓｔｅｍ）上に負荷した。
【０１２９】
電流密度２５ ｍＡ／ゲルで、標準 ＳＤＳ−ＰＡＧＥランニング緩衝液（２５ ｍＭトリス， １９２
ｍＭグリシン， 及び０．１％ ＳＤＳ）を使用して電気泳動を実施した。当該タンパク質を電気泳動によりニトロセルロース膜（ニューハンプシャー州キーン Ｓｃｈｌｅｉｃｈｅｒ ＆ Ｓｃｈｕｅｌｌ社）上に移した。当該膜を、１０％ カーネーション無脂肪ミルクを含むブロッキング緩衝液〔ＴＴＢＳ緩衝液 （２０ ｍＭトリスＨＣｌ， ｐＨ ７．５， ０．５ Ｍ ＮａＣｌ，及び０．０５％ Ｔｗｅｅｎ−２０〕中、室温で１時間インキュベートし、次にＰＡＰ７ （１：２０００） に対する一次抗体で２時間インキュベートした。当該膜をＴＴＢＳで３回、各１０分間ずつ洗浄した。二次抗体〔ＨＲＰと共役（信号形質導入）したヤギの抗ウサギ ＩｇＧ〕で１時間インキュベートした後、当該膜をＴＴＢＳで３回、各１０分間ずつ洗浄した。ルネサンス キット （デラウェア州ウィルミントン Ｎｅｗ Ｅｎｇｌａｎｄ Ｎｕｃｌｅａｒ社）を使用し、メーカーの指示に従い、ケミルミネセンスにより固有タンパク質バンドを検出した。
【０１３０】
（免疫細胞化学処理）
４室ＳｕｐｅｒＣｅｌｌ Ｃｕｌｔｕｒｅ Ｓｌｉｄｅ （ペンシルバニア州ピッツバーグ Ｆｉｓｈｅｒ Ｓｃｉｅｎｔｉｆｉｃ社）上でＭＡ−１０細胞を培養し、４ ℃、１５分間かけてメタノールで固定した。固定した当該細胞を、ＰＡＰ７ペプチドの存在下又は不存在下において、ＰＡＰ７抗体（希釈度 １ ： ２５０）で１時間インキュベートした。洗浄後、当該細胞をＨＲＰ共役ヤギ抗ウサギ二次抗体（ケンタッキー州レキシントン Ｔｒａｎｓｄｕｃｔｉｏｎ Ｌａｂ社）で１時間インキュベートした。ＰＡＰ７染色を、クロモーゲンとしてＡＥＣ（３−アミノ−９−エチル カルバゾール）を使用し、ペルオキシダーゼで可視化して、赤色の反応生成物を得た。ヘマトキシリンで後染色した後、スライドを脱水処理し、永久固定した。
【０１３１】
（免疫組織化学処理）
マウスの組織を液体チッ素中で新しく切り取って採取した。切断直後に、試験片を冷たいメタノール中で５分間かけて固定した。次に当該スライドをＨ２Ｏ２の０．３％メタノール溶液を入れた室温の部屋の中に２０分間置き、内因性ペルオキシダーゼ活性を抑制し、次にブロッキング溶液（１０％ヤギ血清；カリホルニア州サンフランシスコ Ｚｙｍｅｄ社）中で１５分間インキュベートした。その後、当該スライドを、抗ＰＡＰ７抗体（１ ： ２５０）で２時間、室温でインキュベートし、水及びＰＢＳで洗浄し、ＨＲＰ共役ヤギ抗ウサギ二次抗体で１時間、室温でインキュベートし、次にＰＢＳで洗浄した。染色を行うためにＡＥＣ試薬で１時間、３７ ℃で処理した後、当該断面をヘマトキシリンで後染色し、脱水して永久固定した。
【０１３２】
（タンパク質の定量化及び統計学的解析）
Ｂｒａｄｆｏｒｄの染料結合分析法（Ｂｒａｄｆｏｒｄ， Ｍ．Ｍ．， １９７６， Ａｎａｌ． Ｂｉｏｃｈｅｍ． ７２， ２４８−２５４）により、ウシ血清アルブミンを標準物質としてタンパク質を定量した。統計学的解析として、先ずＡＮＯＶＡ法を実施し、次にＧｒａｐｈＰａｄ社（カリホルニア州サンヂエゴ）から入手したＩｎｓｔａｔ （ｖ． ２．０４）パッケージを使用してＳｔｕｄｅｎｔ−Ｎｅｗｍａｎ−ｋｅｕｌｓ試験又はＤｕｎｎｅｔｔ多重比較試験を実施した。
【０１３３】
（例１：ＰＢＲ会合タンパク質の単離）
我々は、ＣＬＯＮＴＥＣＨ社のＭＡＴＣＨＭＡＫＥＲ二ハイブリッド システムを使用して、その産物がＰＢＲタンパク質と相互作用するように遺伝子をクローン化した。ＧＡＬ４ （１−１４７）−ＰＢＲ 融合（プラスミドｐＧＢＴ９＋ＰＢＲ）を餌として使用し、ｐＧＡＤ１０二ハイブリッドベクターの中に構築したマウスＭＡＴＣＨＭＡＫＥＲ精巣 ＤＮＡライブラリの検索を行った。約 ３ ｘ １０６個の変移体を試験し、ＰＢＲとの相互作用能力を有する５種類の陽性クローンを得た。これらの変移体から採取したライブラリ プラスミドをＥ．ｃｏｌｉ菌株 ＤＨ５ａ中に救済した。Ｈｉｓ−及びβガラクトシダーゼの両発現型は、ｐＧＢＴ９−ＰＢＲ担持菌株ＨＦ７ｃを二ラウンドで形質変換することにより、その存在を確認した（表１）。
表１：  ＰＢＲによる酵母菌二ハイブリッド マウス精巣ライブラリ検索結果の要約
クローン活性              Ｈｉｓ３              βガラクトシダーゼ
ＰＡＰ３                      ＋                        ＋＋
ＰＡＰ７                      ＋                        ＋＋
ＰＡＰ２０                     ＋                        ＋＋
陽性対照                  ＋                        ＋＋＋
【０１３４】
これら陽性クローンから採取したプラスミドについて、制限酵素消化を行って第一回目の分析を行い、次に配列分析を実施した。これにより、２種類のクローンが単一遺伝子によりコード化されていることが明らかになった。この遺伝子はこれまで知られていなかった未知の遺伝子であり、これをＰＢＲ会合タンパク質７ （ＰＡＰ７）と命名した。その他３種類のクローンについては、種々の異なる産物をコード化することが明らかになった。５’ ＲＡＣＥ及び３’ ＲＡＣＥ試験を行うことにより、両菌株に関してＰＡＰ７ ｃＤＮＡクローンの完全配列（ＳＥＱ ＩＤ ＮＯ： ２）を求めた。当該クローンは、計算分子量約５２ ｋＤａを有する４６３−アミノ酸タンパク質をコード化することが明らかになった。ＢＬＡＳＴプログラムを使用してＧｅｎｅｂａｎｋデータベースを相同体検索した結果、当該クローンは、これまで同定されたことの無い新規配列であることが明らかになった。
【０１３５】
（例２：ＭＡ−１０ライジッヒ腫瘍細胞中におけるＰＡＰ７タンパク質の発現）
ＭＡ−１０細胞タンパク質の全抽出物を、ウェスタンブロット法により、ＰＡＰ７抗体を使用して分析した。この抗体は、特に５０ ｋＤａタンパク質バンドを認識する（ 図１Ａ）。ＭＡ−１０細胞中におけるＰＡＰ７タンパク質の発現についても、免疫細胞化学的手法によりこれをチェックした。ＰＡＰ７抗体は特にＭＡ−１０細胞を染色し、当該信号の多くは細胞形質中に局在していることが判明した（図１Ｂ）。この信号は、ＰＡＰ７ペプチドによりこれを中和することができた。この方法により抗体を発生させ、これを精製した。
【０１３６】
（例３：ＰＡＰ７細胞並びにドットブロット法及びノーザンブロット法による組織発現）
ドットブロット分析法により、ＰＡＰ７が脳、眼、下顎腺、精巣及び卵巣中において高度に発現されることが観察された。興味あることに、ＰＡＰ７の発現は、初期胚段階において最高水準に到達し、出生前には減少することが判明した（図２Ａ及び２Ｂ）。ノーザンブロット分析により、ＰＡＰ７ ｍＲＮＡは一貫して副腎、脳、心臓、肝臓、精巣及び卵巣の組織に発現することが明らかになった。ＰＡＰ７には１ ｋｂの転写体が存在し、当該転写体は精巣中にのみ発現した。３ ｋｂの主要転写体は他の組織中で発現した（図３Ａ及び３Ｂ）。ＰＡＰ７は３種類の細胞系でも高度の発現量を示した。
ステロイド生合成に関する研究には、この現象を広く利用した。３種類の細胞系全てにおいて、正常組織中と同じ分子量サイズのＰＡＰ７転写体が発現した。これら細胞系におけるＰＡＰ７の発現量は、それらのステロイド生成能力と比例関係にあることが明らかになった（図３Ａ及び３Ｂ）。ＰＢＲ ｍＲＮＡの発現量についても、これらの同じ組織及び細胞系の中でこれをチェックした。ＰＢＲの発現水準は、特にこれら３種類の細胞系において、ＰＡＰ７ ｍＲＮＡの発現パターンと平行関係にあった（図４Ａ及び４Ｂ）。
【０１３７】
（例４：ＰＡＰ７細胞の分布）
種々の組織中におけるＰＡＰ７タンパク質の発現について、免疫組織化学法によりそのチェックを行った（図５）。精巣のライジッヒ細胞及び生殖細胞の中（図５Ｃ及び５Ｄ）、脳の海馬細胞及び神経細胞の中（図５Ｅ及び５Ｆ）、副腎腺の索状層細胞の中（図５Ｇ及び５Ｈ）、及び卵巣の顆粒膜細胞の中（図５Ａ及び５Ｂ）のいずれにおいても、ＰＡＰ７の存在が認められた。肝臓及び腎臓も、低濃度のＰＡＰ７タンパク質を発現した（データは示さなかった）。各試験片は、負の比較対照としてＰＡＰ７ペプチド中和抗体を使用してこれを染色した。その後の原位置ハイブリッド化研究の結果から、ＰＡＰ７ ｍＲＮＡの発現が、ＰＡＰ７タンパク質の発現と同じパターンを示すことが明らかになった。
【０１３８】
（例５：ＭＡ−１０細胞中におけるステロイド生合成に及ぼすＰＡＰ７の効果）
ＰＢＲ結合ドメインを含むＰＡＰ７部分配列をｐＳＶｚｅｏ哺乳類発現ベクター中へサブクローン化した。このｐＳＶｚｅｏＰＡＰ７ベクターを、一時的にＭＡ−１０細胞中へ形質移入した。ｐＳＶｚｅｏ空ベクターも、比較対照として細胞中へ形質移入した。両空ベクター（ｐＳＶｚｅｏ形質移入体及びｐＳＶｚｅｏＰＡＰ７形質移入体）のステロイド生合成能力は、ホルモン （ｈＣＧ）刺激に反応して起こるプロゲステロンの生産量を監視することにより、これをチェックした。ＰＡＰ７形質移入体は、ｐＳＶｚｅｏベクターの形質移入体と比較した場合、投与量及び時間に依存する形でＭＡ−１０細胞中におけるプロゲステロンの生産量を著しく低下させた（図６）。
【０１３９】
（考  察）
ステロイド生合成においてＰＢＲはコレステロールの輸送量を調節している。その機構に関してより理解を深めるために、我々は酵母菌二ハイブリッド分析を実施してＰＢＲ関連タンパク質の同定を行った。マウスＰＢＲ ｃＤＮＡをｐＧＢＴ９ ベクター中に挿入し、餌としてＧＡＬ４ ＤＮＡ結合ドメイン及びＰＢＲ融合タンパク質を発生させた。ＰＢＲリガンド（ＰＫ１１１９５）と融合したタンパク質について、その受容体リガンドの結合活性を測定した。
我々が得た結果は、酵母菌中に発現した当該融合ＰＢＲタンパク質が、天然のＰＢＲタンパク質と類似の結合親和性を有していたことを示している（データは示さなかった）。ＰＢＲは、精巣を含む種々の周辺組織中でその存在が確認されている （Ｇａｖｉｓｈ， Ｍ．及びＷｅｉｚｍａｎ， Ｒ．， １９９７， Ｃｌｉｎ． Ｎｅｕｒｏｐｈａｒｍａｃｏｌ． ２０， ４７３−４８１）。ステロイド生成において、精巣は重要組織であり、且つ非常に良く研究されている組織の一つでもある （Ｈｕｈｔａｎｉｅｍｉ， Ｉ．及びＴｏｐｐａｒｉ， Ｊ．， １９９５， Ａｄｖ． Ｅｘｐ． Ｍｅｄ． Ｂｉｏｌ． ３７７， ３３−５４）。
マウス精巣のライジッヒ細胞におけるステロイド生合成の機構及び過程におけるＰＢＲの役割に関しても、多くの報告が存在する （Ｐａｐａｄｏｐｏｕｌｏｓ Ｖ．ら、１９９７， Ｓｔｅｒｏｉｄｅｓ ６２， ２１−２８； Ｐａｐａｄｏｐｏｕｌｏｓ， Ｖ．ら， １９９８， Ｅｎｄｏｃｒ． Ｒｅｓ． ２４， ４７９−４８７）。従って、我々はマウスの精巣ｃＤＮＡライブラリを、この二ハイブリッド検索研究に適用した。ｐＧＡＤ１０ベクターを使用し、融合Ｂａｌｂ／ｃマウスの精巣ライブラリの中にランダムにタンパク質を集めて、ＧＡＬ４活性化ドメインの融合タンパク質を発生させた。酵母菌二ハイブリッド検索により、陽性クローンの一つとして、ＰＡＰ７の存在が確認された。当該クローンは、ＰＢＲとの相互作用能力を有することが証明された（表１）。
【０１４０】
このようにして、我々は、ＰＢＲと相互作用するマウス タンパク質に、ＰＡＰ７ ｃＤＮＡをクローン化してこれをコード化した。データベースの検索結果に基づき、ＰＡＰ７は新規遺伝子産物であることが判明した。最近ＰＲＡＸ−１が、特にＰＢＲとの間に相互作用を持つ新しいタンパク質であることが報告された （Ｇａｌｉｅｇｕｅ， Ｓ．ら， １９９９， Ｊ． Ｂｉｏｌ． Ｃｈｅｍ． ２７４， ２９３８−２９５２）。このタンパク質との唯一の類似点は、両タンパク質がグルタミン酸基を含有していることである。ＰＡＰ７の一部は、その機能がまだ知られていないＣ． ｅｌａｇａｎｓ遺伝子と極めて高度の相同性を共有していることも知られている （Ｗｉｌｓｏｎ， Ｒ．ら， １９９４， Ｎａｔｕｒｅ ３６８， ３２−３８）。
【０１４１】
事実、Ｃ． ｅｌｅｇａｎｓ細胞の培養にはコレステロールが必要とされる （Ｂｒｅｎｎｅｒ， Ｓ．， １９７４， Ｇｅｎｅｔｉｃｓ ７７， ７１−９４）。コレステロールの輸送にＰＢＲが関与し、ＰＢＲ遺伝子が全ての微生物中において高度に保守的であることを考えると、このデータは、細胞の生存及び成長という基本要件を満たすには、ＰＡＰ７の発現が必要であることを示唆しているものと考えることができる。ＰＡＰ７はＲＡＬＢＰ（細胞内レチノイド輸送において機能する疎水性リガンド結合タンパク質）とも、いくつかの相同性を共有していることが知られている （Ｏｚａｋｉ， Ｋら， １９９４， Ｊ． Ｂｉｏｌ． Ｃｈｅｍ． ２６９， ３８３８−３８４５）。
【０１４２】
スイスポート プロジット プロフィール走査を使用する配列モチーフ分析により、ＰＡＰ７に脂肪族アシル化（ミリストイル化）サイト、アシル−ＣｏＡ結合タンパク質のシグナチャー、及びＰＫＣホスフォリル化サイトが存在することが判明した。タンパク質をミリストイル化することにより、タンパク質は細胞膜に付着し、細胞信号の発信に参加できるようになる （Ｃａｓｅｙ， Ｐ．Ｊ．， １９９５， Ｓｃｉｅｎｃｅ ２６８， ２２１−２２５； Ｂｏｕｔｉｎ， Ｊ．Ａ．， １９９７， Ｃｅｌｌ Ｓｉｇｎａｌ ９， １５−３５）。ＰＢＲは疎水性タンパク質であり、外部ミトコンドリア膜と密接な関連を有している。この性質により、ＰＡＰ７がホルモン刺激信号をＰＢＲに送り、ＰＢＲとの相互作用を発生し、このようにしてコレステロール輸送においてＰＢＲ活性を調節することが可能となる。
興味あることに、アシル−ＣｏＡ結合タンパク質は、ＰＢＲ内因性リガンド（ジアゼパム結合抑制剤：ＤＢＩ）の別名でもある （Ｒｏｓｅ， Ｔ．Ｍ．ら， １９９２， Ｐｒｏｃ． Ｎａｔｌ． Ａｃａｄ． Ｓｃｉ． Ｕ．Ｓ．Ａ． ８９， １１２８７−１１２９１； Ｃｏｓｔａ， Ｅ．及びＧｕｉｄｏｔｔｉ， Ａ．， １９９１， Ｌｉｆｅ Ｓｃｉ． ４９， ３２５−３４４； Ｓｕｋ， Ｋ．ら， １９９９， Ｂｉｏｃｈｅｍ． Ｂｉｏｐｈｙｓ． Ａｃｔａ １４５４， １２６−１３１）。この情報は、ＰＡＰ７が他のＰＢＲ内因性リガンドと配位することによりその機能を発揮することを示唆しているものと考えられる。ＰＡＰ７がタンパク質キナーゼの潜在的ホスフォリル化サイトを有するという事実は、ＰＢＲがＰＡＰ７タンパク質と相互作用してホルモン刺激により調節を行うという、もう一つの可能性を高めるものである。
【０１４３】
脳、精巣、卵巣、副腎、及び腎臓並びにその他いくつかの細胞系など、主なマウス組織についてＰＡＰ７の分布及び発現量を調べた。ＰＡＰ７の発現パターンは、これよりブロードなＰＢＲの発現プロフィールに類似している。前に行った研究（Ｐａｐａｄｏｐｏｕｌｏｓ， Ｖ．ら， １９９８， 前出）によれば、副腎のｚｏｎａ ｆａｓｃｉｃｕｌａｔａ細胞により糖コルチコイドが生産されることが明らかになっている。
【０１４４】
卵巣においては、顆粒膜細胞が存在するｃｏｕｐｕｓ ｌｕｔｅｕｍがプロゲステロンを分泌する。さらに、精巣のライジッヒ細胞はテストステロンを生産する能力を有している。主要ステロイド生成組織の中ではＰＡＰ７が高度に発現され、これらのステロイド生産細胞中においてその濃度が高まるので、ＰＢＲ錯体の形成量又はその形態を変化させることにより、ステロイドの生合成又はステロイド形成量の調節に、ＰＡＰ７が関与できるようになる。
【０１４５】
マウスＣ６神経膠細胞、ＭＡ−１０ライジッヒ細胞及びＹ１副腎皮質細胞は、ステロイド生合成の研究用に選ばれる良く知られた細胞モデルである。これらの細胞系において、ＰＡＰ７の発現量はＰＢＲの発現量に比例相関する。
【０１４６】
さらに、これらの細胞系内におけるＰＢＲの発現濃度とＰＡＰ７の発現濃度は、これら物質のステロイド生成能力に対してともに平行的である。この事実も、ＰＡＰ７がＰＢＲ経由でステロイド生合成に関与していることを示唆するものである。小型ＰＡＰ７転写体は精巣中のみに発現したが、この現象は、精巣中に発現した他の遺伝子についても観察されるものである （Ｚｈａｎｇ， Ｆ．Ｐ．ら， １９９７， Ｅｎｄｏｃｒｉｎｏｌｏｇｙ １３８， ２４８１−２４９０； Ｍａｕｄｕｉｔ， Ｃ．ら， １９９９， Ｊ． Ｂｉｏｌ． Ｃｈｅｍ． ２７４， ７７０−７７５）。ライジッヒ細胞以外の精巣中免疫染色により、小型転写体の発現量を表すことが可能である。
【０１４７】
ＰＡＰ７タンパク質はＭＡ−１０細胞中に発現し、大部分の染色は細胞形質中に局在して行われる。ＰＡＰ７の細胞レベル以下における分布研究については目下進行中である。将来その結果が、ＰＢＲ−ＰＡＰ７間の相互作用に関して、より詳細な情報を提供してくれるものと期待される。ＰＢＲをノックアウトしたマウスは子宮の中で死んでしまう。この事実は、ＰＢＲがマウスの胚成長過程において必須の役割を演じていることを示している。興味あることに、ＰＡＰ７ ｍＲＮＡは、マウスの初期胚の成長過程において高度に発現する。
【０１４８】
この結果から、マウスの初期発育過程において、ＰＢＲと会合したＰＡＰ７がマウスの成長に重要な役割を演じていることが推定される。このことは、さらに、ＰＢＲがステロイド生成以外の新しい機能を有する可能性を示唆している。
そのＰＢＲ結合ドメインを含め、ＰＡＰ７フラグメントが過剰発現すると、ＭＡ−１０細胞中において、これが飽和濃度のｈＣＧ （５０ ｎｇ／ｍｌ）による刺激で生成するプロゲステロンの形成を充分に抑制し得ることが明らかになった。
前に行った研究の結果によれば、これらの細胞によるプロゲステロン生産量は、ステロイド生合成量の目安となる （Ｆｒｅｅｍａｎ， Ｄ．Ａ．， １９８７， Ｅｎｄｏｃｒｉｎｏｌｏｇｙ １２０， １２４−１３２； Ｇａｒｎｉｅｒ， Ｍ．ら， １９９４， Ｊ． Ｂｉｏｌ． Ｃｈｅｍ． ２６９， ２２１０５−２２１１２）。機能抑制面から考えれば、過剰発現したＰＡＰ７フラグメントは、ＭＡ−１０細胞中において、天然ＰＡＰ７に対する競争因子として作用し、ＰＢＲと競争して結合に参加する可能性がある。我々は、ＰＢＲ結合ドメインしか持っていない形質移入ＰＡＰ７フラグメントは、天然のＰＡＰ７のように完全機能することはできないものと信じている。
しかし形質移入ＰＡＰ７フラグメントは、ＰＢＲと内因性ＰＡＰ７との相互作用を競争的に阻止し、これによりＰＢＲの正常機能をブロックするものと考えられる。
【０１４９】
結論として、本明細書に記した結果から、今回同定されたＰＡＰ７は、内因生リガンド又は当該受容体のアロステリック調節剤として作用し、これによりＰＢＲの機能調節に関与していることを示唆している。
【０１５０】
（ｉ）ＰＢＲはコレステロールのチャンネル又は輸送手段として作用し、（ｉｉ）ＰＢＲはまた環境抗ステロイド生成物質の標的としても作用し、（ｉｉｉ） さらにＰＢＲは乳癌の進行及び腫瘍細胞の増殖に関与する （Ｈａｒｄｗｉｃｋ， Ｍ．ら， １９９９， Ｃａｎｃｅｒ Ｒｅｓ． ５９， ８３１−８４２）という観察結果を考慮し、ＰＡＰ７の同定及びキャラクタリゼーションを行うことにより、ステロイドの生成においても、又さらに広い総合的な分野においても、ＰＢＲの果たす役割をもっと広く理解し得るものと我々は信じている。
【図面の簡単な説明】
本発明に関する上記の特徴、側面、及び利点、及びその他の特徴、側面、及び利点は、下記の説明及び付属請求範囲並びに付属図面を参照することにより、より良く理解されるものと思われる。
【図１】マウスのＭＡ−１０ライジッヒ腫瘍細胞中に発現したＰＡＰ７タンパク質；（Ａ）ウェスタンブロット法；（Ｂ）免疫細胞化学法。
【図２】ドットブロット分析によるＰＡＰ７ ｍＲＮＡの組織分布測定；（Ａ）１００−５００ ｎｇのポリ（Ａ）＋マウス組織から採取したＲＮＡを含むマスターブロットを、「材料及び方法」の項で述べた方法により、高度のストリンジェンシーで１２Ｐ−標識 ＰＡＰ７プローブとハイブリッド化した。当該オートラジオグラムを一晩暴感光させた。（Ｂ）ＰＡＰ７発現量の密度測定分析
【図３】ノーザンブロット分析によるＰＡＰ７の組織分布測定；（Ａ）各レーン毎に異なるマウス組織（採取組織名を図中に示す）から採取した２０ μｇの全ＲＮＡを使用して、ノーザンブロット分析を実施した。当該ブロットを、「材料及び方法」の項に記した方法を使用し、１２Ｐ−標識ＰＡＰ７プローブにより、高ストリンジェンシーでハイブリッド化した。ＰＡＰ７発現量を密度測定分析により測定した。
【図４】ノーザンブロット分析によるＰＢＲの組織分布測定。（Ａ）各レーン毎に異なるマウス組織（組織名を図中に示す）から採取した２０ ｎｇの全ＲＮＡを使用して、ノーザンブロット分析を実施した。当該ブロットを、３２Ｐ−標識ＰＢＲプローブを使用し、「材料及び方法」の項に記した方法により、高ストリンジェンシーでハイブリッド化した。当該オートラジオグラムを一晩感光させた。（Ｂ）ノーザンブロット分析を行うために、ブロットを密度測定分析により定量化した。
【図５】項ＰＡＰ７抗体によるマウス組織の免疫組織学的染色。
【図６】ステロイド生合成に関するＰＡＰ７の効果。ｈＣＧ刺激によるＭＡ−１０中におけるプロゲステロンの形成（Ａ）。種々の時間過程におけるプロゲステロンの形成量（Ｂ）。結果は、互いに独立な実験結果（ｎ＝２−６）の平均値＋標準偏差として示した。
【図７】ドットブロット分析によるＰＡＰ３ ｍＲＮＡの組織分布測定。（Ａ）１００−５００ ｎｇのポリ（Ａ）＋マウス組織から採取したＲＮＡを含むマスターブロットを、「実験手順」の項に記した方法を使用し、３２Ｐ−標識ＰＡＰ３プローブにより、高ストリンジェンシーでハイブリッド化した。当該オートラジオグラムを一晩感光させた。（Ｂ）ＰＡＰ３発現量の密度測定分析。
【図８】ドットブロット分析によるＰＡＰ２０ ｍＲＮＡの分布測定。（Ａ）１００−５００ ｎｇのポリ（Ａ）＋マウス組織から採取したＲＮＡを含むマスターブロットを、「実験手順」の項に記した方法を使用し、３２Ｐ−標識ＰＡＰ２０プローブにより、高ストリンジェンシーでハイブリッド化した。当該オートラジオグラムを一晩感光させた。（Ｂ）ＰＡＰ２０発現量の密度測定による分析。
【図２】
2004500009.tif 000002
【図３】
2004500009.tif 000003
【図４】
2004500009.tif 000004
【図６】
2004500009.tif 000005
【図７】
2004500009.tif 000006
【図８】
2004500009.tif 000007
【国際公開パンフレット】
2004500009.tif 000008
2004500009.tif 000009
2004500009.tif 000010
2004500009.tif 000011
2004500009.tif 000012
2004500009.tif 000013
2004500009.tif 000014
2004500009.tif 000015
2004500009.tif 000016
2004500009.tif 000017
2004500009.tif 000018
2004500009.tif 000019
2004500009.tif 000020
2004500009.tif 000021
2004500009.tif 000022
2004500009.tif 000023
2004500009.tif 000024
2004500009.tif 000025
2004500009.tif 000026
2004500009.tif 000027
2004500009.tif 000028
2004500009.tif 000029
2004500009.tif 000030
2004500009.tif 000031
2004500009.tif 000032
2004500009.tif 000033
2004500009.tif 000034
2004500009.tif 000035
2004500009.tif 000036
2004500009.tif 000037
2004500009.tif 000038
2004500009.tif 000039
2004500009.tif 000040
2004500009.tif 000041
2004500009.tif 000042
2004500009.tif 000043
2004500009.tif 000044
2004500009.tif 000045
2004500009.tif 000046
2004500009.tif 000047
2004500009.tif 000048
2004500009.tif 000049
2004500009.tif 000050
2004500009.tif 000051
2004500009.tif 000052
2004500009.tif 000053
2004500009.tif 000054
2004500009.tif 000055
2004500009.tif 000056
2004500009.tif 000057
2004500009.tif 000058
2004500009.tif 000059
2004500009.tif 000060
2004500009.tif 000061
2004500009.tif 000062
2004500009.tif 000063
2004500009.tif 000064
2004500009.tif 000065
2004500009.tif 000066
2004500009.tif 000067
2004500009.tif 000068
2004500009.tif 000069
2004500009.tif 000070
2004500009.tif 000071
2004500009.tif 000072
2004500009.tif 000073
2004500009.tif 000074
2004500009.tif 000075
2004500009.tif 000076
2004500009.tif 000077
2004500009.tif 000078
【国際公開パンフレット（コレクトバージョン）】
2004500009.tif 000079
2004500009.tif 000080
2004500009.tif 000081
2004500009.tif 000082
2004500009.tif 000083
2004500009.tif 000084
2004500009.tif 000085
2004500009.tif 000086
2004500009.tif 000087
2004500009.tif 000088
2004500009.tif 000089
2004500009.tif 000090
2004500009.tif 000091
2004500009.tif 000092
2004500009.tif 000093
2004500009.tif 000094
2004500009.tif 000095
2004500009.tif 000096
2004500009.tif 000097
2004500009.tif 000098
2004500009.tif 000099
2004500009.tif 000100
2004500009.tif 000101
2004500009.tif 000102
2004500009.tif 000103
2004500009.tif 000104
2004500009.tif 000105
2004500009.tif 000106
2004500009.tif 000107
2004500009.tif 000108
2004500009.tif 000109
2004500009.tif 000110
2004500009.tif 000111
2004500009.tif 000112
2004500009.tif 000113
2004500009.tif 000114
2004500009.tif 000115
2004500009.tif 000116
2004500009.tif 000117
2004500009.tif 000118
2004500009.tif 000119
2004500009.tif 000120
2004500009.tif 000121
2004500009.tif 000122
2004500009.tif 000123
2004500009.tif 000124
2004500009.tif 000125
2004500009.tif 000126
2004500009.tif 000127
2004500009.tif 000128
2004500009.tif 000129
2004500009.tif 000130
2004500009.tif 000131
2004500009.tif 000132
2004500009.tif 000133
2004500009.tif 000134
2004500009.tif 000135
2004500009.tif 000136
2004500009.tif 000137
2004500009.tif 000138
2004500009.tif 000139
2004500009.tif 000140
2004500009.tif 000141
2004500009.tif 000142
2004500009.tif 000143
2004500009.tif 000144
2004500009.tif 000145
2004500009.tif 000146
2004500009.tif 000147
2004500009.tif 000148
2004500009.tif 000149
【国際公開パンフレット（コレクトバージョン）】
2004500009.tif 000150
2004500009.tif 000151
【国際調査報告】
2004500009.tif 000152
2004500009.tif 000153
2004500009.tif 000154
2004500009.tif 000155
2004500009.tif 000156
2004500009.tif 000157
2004500009.tif 000158